(57)【特許請求の範囲】
【請求項１】
キャリアアグリゲーションを支援し、ＴＤＤにおける異なるアップリンクーダウンリンク（ＵＬ−ＤＬ）構成で動作する無線通信システムにおいて、端末を介してアップリンク制御情報を伝送する方法であって、
第１ＨＡＲＱ−ＡＣＫセット及び第２ＨＡＲＱ−ＡＣＫセットを含む第３ＨＡＲＱ−ＡＣＫセットに対応する少なくとも１つのビット値を決定するステップと、
前記決定された少なくとも１つのビット値をアップリンクサブフレームｎで伝送するステップと、
を有し、
前記第１ＨＡＲＱ−ＡＣＫセットは、Ｍ値を用いて、第１セルに対して特定され、
前記第２ＨＡＲＱ−ＡＣＫセットは、前記Ｍ値を用いて、第２セルに対して特定され、
Ｍ＝ｍａｘ（Ｍ１、Ｍ２）であり、ｍａｘ（Ｍ１、Ｍ２）は、Ｍ１又はＭ２の大きい値である、アップリンク制御情報伝送方法。
【請求項２】
Ｍ１は、前記第１セルで前記アップリンクサブフレームｎに対応するダウンリンクサブフレームの個数に該当し、
Ｍ２は、前記第２セルで前記アップリンクサブフレームｎに対応するダウンリンクサブフレームの個数に該当する、請求項１に記載のアップリンク制御情報伝送方法。
【請求項３】
前記第１セルと前記第２セルとが、互いに異なったＵＬ−ＤＬ構成を有する、請求項１に記載のアップリンク制御情報伝送方法。
【請求項４】
前記第１セルはプライマリセル（ＰＣｅｌｌ）であり、前記第２セルはセカンダリセル（ＳＣｅｌｌ）である、請求項１に記載のアップリンク制御情報伝送方法。
【請求項５】
Ｍ１≠１であり、且つＭ２≠０である場合に、前記第３ＨＡＲＱ−ＡＣＫセット内で、前記第１ＨＡＲＱ−ＡＣＫセットの次に前記第２ＨＡＲＱ−ＡＣＫセットが続く、請求項１に記載のアップリンク制御情報伝送方法。
【請求項６】
Ｍ１＝０であり、且つＭ２≠０である場合に、前記第３ＨＡＲＱ−ＡＣＫセット内で、前記第２ＨＡＲＱ−ＡＣＫセットの次に前記第１ＨＡＲＱ−ＡＣＫセットが続く、請求項１に記載のアップリンク制御情報伝送方法。
【請求項７】
Ｍ１＜Ｍ２の場合に、前記第１ＨＡＲＱ−ＡＣＫセットはＭ１個のＨＡＲＱ−ＡＣＫ応答を有し、さらに（Ｍ２−Ｍ１）個のＤＴＸ／ＮＡＣＫを有する、請求項１に記載のアップリンク制御情報伝送方法。
【請求項８】
前記第３ＨＡＲＱ−ＡＣＫセットに対応する前記少なくとも１つのビット値は、複数のＰＵＣＣＨリソースのうち、前記第３ＨＡＲＱ−ＡＣＫセットに対応する特定ＰＵＣＣＨリソースを用いて伝送される、請求項１に記載のアップリンク制御情報伝送方法。
【請求項９】
前記第３ＨＡＲＱ−ＡＣＫセットに対応する前記少なくとも１つのビット値は、ＰＵＳＣＨを介して伝送される、請求項１に記載のアップリンク制御情報伝送方法。
【請求項１０】
キャリアアグリゲーションを支援し、ＴＤＤにおける異なるアップリンクーダウンリンク（ＵＬ−ＤＬ）構成で動作する無線通信システムにおいて、アップリンク制御情報を伝送するように構成された通信装置であって、
無線周波数ユニットと、
プロセッサと、を備え、
前記プロセッサは、
第１ＨＡＲＱ−ＡＣＫセット及び第２ＨＡＲＱ−ＡＣＫセットを含む第３ＨＡＲＱ−ＡＣＫセットに対応する少なくとも１つのビット値を決定し、前記決定された少なくとも１つのビット値をアップリンクサブフレームｎで伝送するために前記無線周波数ユニットを制御するように構成され、
前記第１ＨＡＲＱ−ＡＣＫセットは、Ｍ値を用いて、第１セルに対して特定され、
前記第２ＨＡＲＱ−ＡＣＫセットは、前記Ｍ値を用いて、第２セルに対して特定され、
Ｍ＝ｍａｘ（Ｍ１、Ｍ２）であり、ｍａｘ（Ｍ１、Ｍ２）は、Ｍ１又はＭ２の大きい値である、通信装置。
【請求項１１】
Ｍ１は、前記第１セルで前記アップリンクサブフレームｎに対応するダウンリンクサブフレームの個数に該当し、
Ｍ２は、前記第２セルで前記アップリンクサブフレームｎに対応するダウンリンクサブフレームの個数に該当する、請求項１０に記載の通信装置。
【請求項１２】
前記第１セルと前記第２セルとが、互いに異なったＵＬ−ＤＬ構成を有する、請求項１０に記載の通信装置。
【請求項１３】
前記第１セルはプライマリセル（ＰＣｅｌｌ）であり、前記第２セルはセカンダリセル（ＳＣｅｌｌ）である、請求項１０に記載の通信装置。
【請求項１４】
Ｍ１≠１であり、且つＭ２≠０である場合に、前記第３ＨＡＲＱ−ＡＣＫセット内で、前記第１ＨＡＲＱ−ＡＣＫセットの次に前記第２ＨＡＲＱ−ＡＣＫセットが続く、請求項１０に記載の通信装置。
【請求項１５】
Ｍ１＝０であり、且つＭ２≠０である場合に、前記第３ＨＡＲＱ−ＡＣＫセット内で、前記第２ＨＡＲＱ−ＡＣＫセットの次に前記第１ＨＡＲＱ−ＡＣＫセットが続く、請求項１０に記載の通信装置。
【請求項１６】
Ｍ１＜Ｍ２の場合に、前記第１ＨＡＲＱ−ＡＣＫセットはＭ１個のＨＡＲＱ−ＡＣＫ応答を有し、さらに（Ｍ２−Ｍ１）個のＤＴＸ／ＮＡＣＫを有する、請求項１０に記載の通信装置。
【請求項１７】
前記第３ＨＡＲＱ−ＡＣＫセットに対応する前記少なくとも１つのビット値は、複数のＰＵＣＣＨリソースのうち、前記第３ＨＡＲＱ−ＡＣＫセットに対応する特定ＰＵＣＣＨリソースを用いて伝送される、請求項１０に記載の通信装置。
【請求項１８】
前記第３ＨＡＲＱ−ＡＣＫセットに対応する前記少なくとも１つのビット値は、ＰＵＳＣＨを介して伝送される、請求項１０に記載の通信装置。
【発明の詳細な説明】
【技術分野】
【０００１】
本発明は、無線通信システムに係り、特に、制御情報を伝送する方法及びそのための装置に関する。
【背景技術】
【０００２】
無線通信システムが音声やデータなどのような種々の通信サービスを提供するために広範囲に展開されている。一般に、無線通信システムは、可用のシステムリソース（帯域幅、伝送パワーなど）を共有してマルチユーザーとの通信を支援し得る多重アクセス（ｍｕｌｔｉｐｌｅ  ａｃｃｅｓｓ）システムのことをいう。多重アクセスシステムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を效率よく伝送する方法及びそのための装置を提供することにある。本発明の他の目的は、ＴＤＤ（Ｔｉｍｅ  Ｄｉｖｉｓｉｏｎ  Ｄｕｐｌｅｘ）システムにおいてアップリンク制御情報を效率よく伝送し、そのためのリソースを效率的に管理する方法及びそのための装置を提供することにある。本発明で達成しようとする技術的課題は、上記の技術的課題に制限されず、言及していない他の技術的課題は、下の記載から、本発明の属する技術の分野における通常の知識を有する者には明確に理解されるであろう。
【課題を解決するための手段】
【０００４】
本発明の一態様として、キャリアアグリゲーション（ｃａｒｒｉｅｒ  ａｇｇｒｅｇａｔｉｏｎ）を支援し、ＴＤＤ（Ｔｉｍｅ  Ｄｉｖｉｓｉｏｎ  Ｄｕｐｌｅｘ）で動作する無線通信システムにおいてアップリンク制御情報を伝送する方法であって、第１セルに関する第１ＨＡＲＱ−ＡＣＫ（Ｈｙｂｒｉｄ  Ａｕｔｏｍａｔｉｃ  Ｒｅｐｅａｔ  ｒｅｑｕｅｓｔ−Ａｃｋｎｏｗｌｅｄｇｅｍｅｎｔ）セットをＭ値を用いて生成することと、第２セルに関する第２ＨＡＲＱ−ＡＣＫセットを前記Ｍ値を用いて生成することと、前記第１ＨＡＲＱ−ＡＣＫセット及び前記第２ＨＡＲＱ−ＡＣＫセットを含む第３ＨＡＲＱ−ＡＣＫセットに対応するビット値をサブフレームｎで伝送することと、を具備し、Ｍ＝ｍａｘ（Ｍ１、Ｍ２）であり、ｍａｘ（Ｍ１、Ｍ２）は、Ｍ１とＭ２のうち小さくない数を表し、Ｍ１は、前記第１セルで前記アップリンクサブフレームｎに対応するダウンリンクサブフレームの個数に該当し、Ｍ２は、前記第２セルで前記アップリンクサブフレームｎに対応するダウンリンクサブフレームの個数に該当し、前記第１セルと前記第２セルとが、互いに異なったＵＬ−ＤＬ構成（Ｕｐｌｉｎｋ  Ｄｏｗｎｌｉｎｋ  ｃｏｎｆｉｇｕｒａｔｉｏｎ）を有する、方法が提供される。
【０００５】
本発明の他の態様として、キャリアアグリゲーション（ｃａｒｒｉｅｒ  ａｇｇｒｅｇａｔｉｏｎ）を支援し、ＴＤＤ（Ｔｉｍｅ  Ｄｉｖｉｓｉｏｎ  Ｄｕｐｌｅｘ）で動作する無線通信システムにおいてアップリンク制御情報を伝送するように構成された通信装置であって、無線周波数（Ｒａｄｉｏ  Ｆｒｅｑｕｅｎｃｙ、ＲＦ）ユニットと、プロセッサと、を備え、前記プロセッサは、第１セルに関する第１ＨＡＲＱ−ＡＣＫ（Ｈｙｂｒｉｄ  Ａｕｔｏｍａｔｉｃ  Ｒｅｐｅａｔ  ｒｅｑｕｅｓｔ−Ａｃｋｎｏｗｌｅｄｇｅｍｅｎｔ）セットをＭ値を用いて生成し、第２セルに関する第２ＨＡＲＱ−ＡＣＫセットを前記Ｍ値を用いて生成し、前記第１ＨＡＲＱ−ＡＣＫセット及び前記第２ＨＡＲＱ−ＡＣＫセットを含む第３ＨＡＲＱ−ＡＣＫセットに対応するビット値をサブフレームｎで伝送するように構成され、Ｍ＝ｍａｘ（Ｍ１、Ｍ２）であり、ｍａｘ（Ｍ１、Ｍ２）は、Ｍ１とＭ２のうち小さくない数を表し、Ｍ１は、前記第１セルで前記アップリンクサブフレームｎに対応するダウンリンクサブフレームの個数に該当し、Ｍ２は、前記第２セルで前記アップリンクサブフレームｎに対応するダウンリンクサブフレームの個数に該当し、前記第１セルと前記第２セルとが、互いに異なったＵＬ−ＤＬ構成（Ｕｐｌｉｎｋ  Ｄｏｗｎｌｉｎｋ  ｃｏｎｆｉｇｕｒａｔｉｏｎ）を有する、通信装置が提供される。
【０００６】
好適には、前記第１セルはＰＣｅｌｌ（Ｐｒｉｍａｒｙ  Ｃｅｌｌ）であり、前記第２セルはＳＣｅｌｌ（Ｓｅｃｏｎｄａｒｙ  Ｃｅｌｌ）である。
【０００７】
好適には、Ｍ１≠０であり、且つＭ２≠０である場合に、前記第３ＨＡＲＱ−ＡＣＫセット内で、前記第１ＨＡＲＱ−ＡＣＫセットの次に前記第２ＨＡＲＱ−ＡＣＫセットが配置される。
【０００８】
好適には、Ｍ１＝０であり、且つＭ２≠０である場合に、前記第３ＨＡＲＱ−ＡＣＫセット内で、前記第２ＨＡＲＱ−ＡＣＫセットの次に前記第１ＨＡＲＱ−ＡＣＫセットが配置される。
【０００９】
好適には、Ｍ１＜Ｍ２の場合に、前記第１ＨＡＲＱ−ＡＣＫセットはＭ２個のＨＡＲＱ−ＡＣＫ応答で構成され、前記第１ＨＡＲＱ−ＡＣＫセットにおいて後ろのＭ２−Ｍ１個のＨＡＲＱ−ＡＣＫ応答はＤＴＸ（Ｄｉｓｃｏｎｔｉｎｕｏｕｓ  Ｔｒａｎｓｍｉｓｓｉｏｎ）に設定される。
【００１０】
好適には、前記第３ＨＡＲＱ−ＡＣＫセットに対応するビット値は、複数のＰＵＣＣＨ（Ｐｈｙｓｉｃａｌ  Ｕｐｌｉｎｋ  Ｃｏｎｔｒｏｌ  Ｃｈａｎｎｅｌ）のうち、前記第３ＨＡＲＱ−ＡＣＫセットに対応する特定ＰＵＣＣＨリソースを用いて伝送される。
【００１１】
好適には、前記第３ＨＡＲＱ−ＡＣＫセットに対応するビット値は、ＰＵＳＣＨ（Ｐｈｙｓｉｃａｌ  Ｕｐｌｉｎｋ  Ｓｈａｒｅｄ  Ｃｈａｎｎｅｌ）を介して伝送される。
【発明の効果】
【００１２】
本発明によれば、無線通信システムにおいて制御情報を效率よく伝送することが可能になる。具体的に、ＴＤＤシステムにおいてアップリンク制御情報を效率よく伝送し、そのためのリソースを效率よく管理することが可能になる。
【００１３】
本発明で得られる効果は、以上に言及した効果に制限されず、言及していない別の効果は、下の記載から、本発明の属する技術の分野における通常の知識を有する者には明確に理解されるであろう。
本発明に関する理解を助けるために詳細な説明の一部として含まれる添付図面は、本発明の実施例を提供し、詳細な説明と共に本発明の技術的思想を説明する。
【図面の簡単な説明】
【００１４】
【図１】無線フレーム（ｒａｄｉｏ  ｆｒａｍｅ）の構造を例示する図である。
【図２】ダウンリンクスロットのリソースグリッドを例示する図である。
【図３】ダウンリンクサブフレームの構造を示す図である。
【図４】アップリンクサブフレームの構造を例示する図である。
【図５】ＰＵＣＣＨフォーマット１ａ／１ｂのスロットレベル構造を示す図である。
【図６】ＡＣＫ／ＮＡＣＫのためのＰＵＣＣＨリソースを決定する例を示す図である。
【図７】単一セル状況においてＴＤＤ ＵＬ ＡＣＫ／ＮＡＣＫ（Ｕｐｌｉｎｋ  Ａｃｋｎｏｗｌｅｄｇｅｍｅｎｔ／Ｎｅｇａｔｉｖｅ  Ａｃｋｎｏｗｌｅｄｇｅｍｅｎｔ）伝送過程を示す図である。
【図８】キャリアアグリゲーション（Ｃａｒｒｉｅｒ  Ａｇｇｒｅｇａｔｉｏｎ、ＣＡ）通信システムを例示する図である。
【図９】複数のキャリアが束ねられた場合のスケジューリングを例示する図である。
【図１０】ＴＤＤ ＣＡ Ａ／Ｎ伝送過程を例示する図である。
【図１１】ＨＤ（Ｈａｌｆ  Ｄｕｐｌｅｘ）−ＴＤＤ ＣＡ方式を例示する図である。
【図１２】ＦＤ（Ｆｕｌｌ  Ｄｕｐｌｅｘ）−ＴＤＤ ＣＡ方式を例示する図である。
【図１３】本発明の一例に係るＴＤＤ ＣＡ Ａ／Ｎ伝送過程を例示する図である。
【図１４】本発明の他の例に係るＴＤＤ ＣＡ Ａ／Ｎ伝送過程を例示する図である。
【図１５】本発明の実施例に適用し得る基地局及び端末を例示する図である。
【発明を実施するための形態】
【００１５】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）のような様々な無線接続システムに用いられてもよい。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）と実現されている。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で実現されている。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）のような無線技術と実現されている。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（Ａｄｖａｎｃｅｄ）は、３ＧＰＰ ＬＴＥの進展したバージョンである。
【００１６】
説明を明確にするために、３ＧＰＰ ＬＴＥ／ＬＴＥ−Ａを中心に説明するが、これに本発明の技術的思想が制限されるわけではない。また、以下の説明で使われる特定用語は、本発明の理解を助けるために提供されるもので、このような特定用語の使用は、本発明の技術的思想から逸脱しない範囲で他の形態に変更されてもよい。
【００１７】
まず、本明細書で用いられる用語についてまとめる。
【００１８】
●ＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）:ダウンリンク伝送（例、ＰＤＳＣＨ（Ｐｈｙｓｉｃａｌ  Ｄｏｗｎｌｉｎｋ  Ｓｈａｒｅｄ  Ｃｈａｎｎｅｌ）あるいはＳＰＳ解除ＰＤＣＣＨ（Ｓｅｍｉ−Ｐｅｒｓｉｓｔｅｎｔ  Ｓｃｈｅｄｕｌｉｎｇ  ｒｅｌｅａｓｅ  Ｐｈｙｓｉｃａｌ  Ｄｏｗｎｌｉｎｋ  Ｃｏｎｔｒｏｌ  Ｃｈａｎｎｅｌ））に対する受信応答結果、すなわち、ＡＣＫ（Ａｃｋｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答（簡単に、ＡＣＫ／ＮＡＣＫ応答、ＡＣＫ／ＮＡＣＫ、Ａ／Ｎ応答、Ａ／Ｎともいう。）のことを指す。ＡＣＫ／ＮＡＣＫ応答は、ＡＣＫ、ＮＡＣＫ、ＤＴＸ、又はＮＡＣＫ／ＤＴＸを意味する。ＣＣに対するＨＡＲＱ−ＡＣＫ或いはＣＣのＨＡＲＱ−ＡＣＫは、該当のＣＣに関連している（例、該当のＣＣにスケジューリングされた）ダウンリンク伝送に対するＡＣＫ／ＮＡＣＫ応答を意味する。ＰＤＳＣＨは、伝送ブロック或いはコードワードに代えてもよい。
【００１９】
●ＰＤＳＣＨ：ＤＬグラントＰＤＣＣＨに対応するＰＤＳＣＨを意味する。本明細書においてＰＤＳＣＨはＰＤＳＣＨ ｗ／ＰＤＣＣＨと同じ意味で使われる。
【００２０】
●ＳＰＳ解除ＰＤＣＣＨ：ＳＰＳ解除を指示するＰＤＣＣＨを意味する。端末は、ＳＰＳ解除ＰＤＣＣＨに対するＡＣＫ／ＮＡＣＫ情報をアップリンクフィードバックする。
【００２１】
●ＳＰＳ ＰＤＳＣＨ：ＳＰＳにより半−静的に設定されたリソースを用いてＤＬ伝送されるＰＤＳＣＨを意味する。ＳＰＳ ＰＤＳＣＨは、対応するＤＬグラントＰＤＣＣＨがない。本明細書においてＳＰＳ ＰＤＳＣＨはＰＤＳＣＨ ｗ／ｏ ＰＤＣＣＨと同じ意味で使われる。
【００２２】
●ＰＵＣＣＨ（Ｐｈｙｓｉｃａｌ  Ｕｐｌｉｎｋ  Ｃｏｎｔｒｏｌ  Ｃｈａｎｎｅｌ）インデックス：ＰＵＣＣＨリソースに対応する。ＰＵＣＣＨインデックスは、例えば、ＰＵＣＣＨリソースインデックスを表す。ＰＵＣＣＨリソースインデックスは、直交カバー（Ｏｒｔｈｏｇｏｎａｌ  Ｃｏｖｅｒ、ＯＣ）、サイクリックシフト（Ｃｙｃｌｉｃ  Ｓｈｉｆｔ、ＣＳ）及びＰＲＢのうち少なくとも一つにマッピングされる。
【００２３】
●ＡＲＩ（ＡＣＫ／ＮＡＣＫ  Ｒｅｓｏｕｒｃｅ  Ｉｎｄｉｃａｔｏｒ）：ＰＵＣＣＨリソースを指示する用途に用いられる。一例として、ＡＲＩは、（上位層により構成された）特定ＰＵＣＣＨリソース（グループ）に対するリソース変形値（例、オフセット）を知らせる用途に使われるものでよい。他の例として、ＡＲＩは、（上位層により構成された）ＰＵＣＣＨリソース（グループ）セット内で特定ＰＵＣＣＨリソース（グループ）インデックスを知らせる用途に用いられてもよい。ＡＲＩは、ＳＣＣ上のＰＤＳＣＨに対応するＰＤＣＣＨのＴＰＣ（Ｔｒａｎｓｍｉｔ  Ｐｏｗｅｒ  Ｃｏｎｔｒｏｌ）フィールドに含まれるとよい。ＰＵＣＣＨ電力制御は、ＰＣＣをスケジューリングするＰＤＣＣＨ（すなわち、ＰＣＣ上のＰＤＳＣＨに対応するＰＤＣＣＨ）内のＴＰＣフィールドを通じて行われるとよい。ＡＲＩは、ＤＡＩ（Ｄｏｗｎｌｉｎｋ  Ａｓｓｉｇｎｍｅｎｔ  Ｉｎｄｅｘ）初期値を有しながら特定セル（例、ＰＣｅｌｌ）をスケジューリングするＰＤＣＣＨ以外のＰＤＣＣＨのＴＰＣフィールドに含まれるとよい。ＡＲＩは、ＨＡＲＱ−ＡＣＫリソース指示値と同じ意味で使われる。
【００２４】
●ＤＡＩ（Ｄｏｗｎｌｉｎｋ  Ａｓｓｉｇｎｍｅｎｔ  Ｉｎｄｅｘ）：ＰＤＣＣＨを介して伝送されるＤＣＩに含まれる。ＤＡＩは、ＰＤＣＣＨの順序値又はカウンター値を表すものであってよい。便宜上、ＤＬグラントＰＤＣＣＨのＤＡＩフィールドが指示する値をＤＬ ＤＡＩと呼び、ＵＬグラントＰＤＣＣＨ内のＤＡＩフィールドが指示する値をＵＬ ＤＡＩと呼ぶ。
【００２５】
●暗黙的ＰＵＣＣＨリソース（Ｉｍｐｌｉｃｉｔ  ＰＵＣＣＨ  ｒｅｓｏｕｒｃｅ）：ＰＣＣをスケジューリングしたり或いはＰＣＣを介して伝送されるＰＤＣＣＨの最小ＣＣＥインデックスにリンクされたＰＵＣＣＨリソース／インデックスを意味する（式１参照）。
【００２６】
●明示的ＰＵＣＣＨリソース（Ｅｘｐｌｉｃｉｔ  ＰＵＣＣＨ  ｒｅｓｏｕｒｃｅ）：ＡＲＩを用いて指示されるものでよい。
【００２７】
●ＣＣをスケジューリングするＰＤＣＣＨ：該当のＣＣ上のＰＤＳＣＨをスケジューリングするＰＤＣＣＨを意味する。すなわち、該当のＣＣ上のＰＤＳＣＨに対応するＰＤＣＣＨを指す。
【００２８】
●ＰＣＣ（Ｐｒｉｍａｒｙ  Ｃｏｍｐｏｎｅｎｔ  Ｃａｒｒｉｅｒ） ＰＤＣＣＨ：ＰＣＣをスケジューリングするＰＤＣＣＨを意味する。すなわち、ＰＣＣ ＰＤＣＣＨは、ＰＣＣ上のＰＤＳＣＨに対応するＰＤＣＣＨを指す。ＰＣＣに対してはクロスキャリアスケジューリングが許容されないとすれば、ＰＣＣ ＰＤＣＣＨはＰＣＣ上でのみ伝送される。ＰＣＣはＰＣｅｌｌ（Ｐｒｉｍａｒｙ  Ｃｅｌｌ）と同じ意味で使われる。
【００２９】
●ＳＣＣ（Ｓｅｃｏｎｄａｒｙ  Ｃｏｍｐｏｎｅｎｔ  Ｃａｒｒｉｅｒ） ＰＤＣＣＨ：ＳＣＣをスケジューリングするＰＤＣＣＨを意味する。すなわち、ＳＣＣ ＰＤＣＣＨは、ＳＣＣ上のＰＤＳＣＨに対応するＰＤＣＣＨを指す。ＳＣＣに対してクロスキャリアスケジューリングが許容される場合に、ＳＣＣ ＰＤＣＣＨは、該当のＳＣＣ以外の他のＣＣ（例、ＰＣＣ）上で伝送されてもよい。ＳＣＣに対してクロスキャリアスケジューリングが許容されない場合には、ＳＣＣ ＰＤＣＣＨは、該当のＳＣＣ上でのみ伝送される。ＳＣＣは、ＳＣｅｌｌ（Ｓｅｃｏｎｄａｒｙ  Ｃｅｌｌ）と同じ意味で使われる。
【００３０】
●クロス−ＣＣスケジューリング：ＳＣＣをスケジューリングするＰＤＣＣＨが該当のＳＣＣ以外のＣＣ（例えば、ＰＣＣ）を介して伝送される動作を意味する。ＰＣＣ及びＳＣＣの２個のＣＣのみが存在する場合に、全てのＰＤＣＣＨが一つのＰＣＣを介してのみスケジューリング／伝送される動作を意味する。
【００３１】
●ノン−クロス−ＣＣスケジューリング：各ＣＣをスケジューリングするＰＤＣＣＨが該当のＣＣを介してスケジューリング／伝送される動作を意味する。
【００３２】
図１は、無線フレーム（ｒａｄｉｏ  ｆｒａｍｅ）構造を例示する図である。セルラーＯＦＤＭ無線パケット通信システムにおいて、アップリンク／ダウンリンクデータパケット伝送はサブフレーム（ｓｕｂｆｒａｍｅ）単位で行われ、１サブフレームは、複数のＯＦＤＭシンボルを含む一定の時間区間と定義される。ＬＴＥ（−Ａ）は、ＦＤＤ（Ｆｒｅｑｕｅｎｃｙ  Ｄｉｖｉｓｉｏｎ  Ｄｕｐｌｅｘ）のためのタイプ１無線フレーム構造、及びＴＤＤ（Ｔｉｍｅ  Ｄｉｖｉｓｉｏｎ  Ｄｕｐｌｅｘ）のためのタイプ２無線フレーム構造を支援する。
【００３３】
図１（ａ）に、タイプ１無線フレーム構造を例示する。ダウンリンク無線フレームは、１０個のサブフレームで構成され、１サブフレームは、時間領域（ｔｉｍｅ  ｄｏｍａｉｎ）において２個のスロット（ｓｌｏｔ）で構成される。１サブフレームが伝送されるのにかかる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓであればよい。１スロットは、時間領域で複数のＯＦＤＭシンボルを含み、且つ周波数領域で複数のリソースブロック（Ｒｅｓｏｕｒｃｅ  Ｂｌｏｃｋ、ＲＢ）を含む。ＬＴＥ（−Ａ）システムでは、ダウンリンクにおいてＯＦＤＭＡを用いるから、ＯＦＤＭシンボルが１シンボル区間を表す。ＯＦＤＭシンボルはＳＣ−ＦＤＭＡシンボル又はシンボル区間と呼ばれてもよい。リソース割当単位としてのリソースブロック（ＲＢ）は、１スロットにおいて複数個の連続した副搬送波（ｓｕｂｃａｒｒｉｅｒ）を含むとよい。
【００３４】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。例えば、ＯＦＤＭシンボルがノーマルＣＰ（ｎｏｒｍａｌ  ＣＰ）を有する場合に、スロットに含まれるＯＦＤＭシンボルの数は７個であればよく、拡張ＣＰ（ｅｘｔｅｎｄｅｄ  ＣＰ）を有する場合に、スロットに含まれるＯＦＤＭシンボルの数は６個であればよい。
【００３５】
図１（ｂ）には、タイプ２無線フレーム構造を例示する。タイプ２無線フレームは、２個のハーフフレーム（ｈａｌｆ  ｆｒａｍｅ）で構成され、各ハーフフレームは５個のサブフレームで構成される。サブフレームは２個のスロットで構成される。
【００３６】
表１に、ＴＤＤモードにおいて無線フレーム内のサブフレームのＵＬ−ＤＬ構成（Ｕｐｌｉｎｋ−Ｄｏｗｎｌｉｎｋ  Ｃｏｎｆｉｇｕｒａｔｉｏｎ、ＵＬ−ＤＬ Ｃｆｇ）を例示する。
【００３７】
【表１】
0006046778.tif 000002
【００３８】
表１で、Ｄは、ダウンリンクサブフレームを、Ｕはアップリンクサブフレームを、Ｓはスペシャル（ｓｐｅｃｉａｌ）サブフレームを表す。
【００３９】
スペシャルサブフレームは、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）を含む。ＤｗＰＴＳは、ダウンリンク伝送用に留保されている時間区間であり、ＵｐＰＴＳは、アップリンク伝送用に留保されている時間区間である。
【００４０】
表２に、スペシャルサブフレーム構成によるＤｗＰＴＳ／ＧＰ／ＵｐＰＴＳの長さを例示する。表２で、Ｔｓはサンプリング時間を表す。
【００４１】
【表２】
0006046778.tif 000003
【００４２】
無線フレームの構造は例示に過ぎないもので、無線フレームにおいてサブフレームの数、スロットの数、シンボルの数は様々に変更されてもよい。
【００４３】
図２は、ダウンリンクスロットのリソースグリッドを例示する図である。
【００４４】
図２を参照すると、ダウンリンクスロットは、時間ドメインにおいて複数のＯＦＤＭシンボルを含む。一つのダウンリンクスロットは７（６）個のＯＦＤＭシンボルを含み、リソースブロック（ＲＢ）は周波数ドメインにおいて１２個の副搬送波を含めばよい。リソースグリッド上の各要素（ｅｌｅｍｅｎｔ）はリソース要素（Ｒｅｓｏｕｒｃｅ  Ｅｌｅｍｅｎｔ、ＲＥ）と呼ばれる。１ ＲＢは１２×７（６）個のＲＥを含む。ダウンリンクスロットに含まれるＲＢの個数ＮＲＢは、ダウンリンク伝送帯域に依存する。アップリンクスロットの構造は、ＯＦＤＭシンボルがＳＣ−ＦＤＭＡシンボルに取り替えられる以外は、ダウンリンクスロットの構造と同一である。
【００４５】
図３は、ダウンリンクサブフレームの構造を例示する図である。
【００４６】
図３を参照すると、サブフレームの１番目のスロットにおける先頭の最大３（４）個のＯＦＤＭシンボルは、制御チャネルが割り当てられる制御領域に相当する。残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｃｅｌ）が割り当てられるデータ領域に相当する。ダウンリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などがある。ＰＣＦＩＣＨは、サブフレームの最初のＯＦＤＭシンボルで伝送され、サブフレーム内で制御チャネルの伝送に使われるＯＦＤＭシンボルの個数に関する情報を運ぶ。ＰＨＩＣＨは、アップリンク伝送に対する応答としてＨＡＲＱ ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４７】
ＰＤＣＣＨを介して伝送される制御情報をＤＣＩ（Ｄｏｗｎｌｉｎｋ  Ｃｏｎｔｒｏｌ  Ｉｎｆｏｒｍａｔｉｏｎ）という。ＤＣＩフォーマットは、アップリンク用にフォーマット０、３、３Ａ、４が、ダウンリンク用にフォーマット１、１Ａ、１Ｂ、１Ｃ、１Ｄ、２、２Ａ、２Ｂ、２Ｃなどが定義されている。ＤＣＩフォーマットは、用途によって、ホッピングフラグ（ｈｏｐｐｉｎｇ  ｆｌａｇ）、ＲＢ割当、ＭＣＳ（Ｍｏｄｕｌａｔｉｏｎ  Ｃｏｄｉｎｇ  Ｓｃｈｅｍｅ）、ＲＶ（Ｒｅｄｕｎｄａｎｃｙ  Ｖｅｒｓｉｏｎ）、ＮＤＩ（Ｎｅｗ  Ｄａｔａ  Ｉｎｄｉｃａｔｏｒ）、ＴＰＣ（Ｔｒａｎｓｍｉｔ  Ｐｏｗｅｒ  Ｃｏｎｔｒｏｌ）、ＤＭ ＲＳ（ＤｅＭｏｄｕｌａｔｉｏｎ  Ｒｅｆｅｒｅｎｃｅ  Ｓｉｇｎａｌ）のためのサイクリックシフト、ＣＱＩ（Ｃｈａｎｎｅｌ  Ｑｕａｌｉｔｙ  Ｉｎｆｏｒｍａｔｉｏｎ）要請、ＨＡＲＱプロセス番号、ＴＰＭＩ（Ｔｒａｎｓｍｉｔｔｅｄ  Ｐｒｅｃｏｄｉｎｇ  Ｍａｔｒｉｘ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）などの情報を選択的に含む。
【００４８】
ＰＤＣＣＨは、ダウンリンク共有チャネル（Ｄｏｗｎｌｉｎｋ  Ｓｈａｒｅｄ  ＣＨａｎｎｅｌ、ＤＬ−ＳＣＨ）の伝送フォーマット及びリソース割当情報、アップリンク共有チャネル（Ｕｐｌｉｎｋ  Ｓｈａｒｅｄ  ＣＨａｎｎｅｌ、ＵＬ−ＳＣＨ）の伝送フォーマット及びリソース割当情報、ページングチャネル（Ｐａｇｉｎｇ  ＣＨａｎｎｅｌ、ＰＣＨ）上のページング情報、ＤＬ−ＳＣＨ上のシステム情報、ＰＤＳＣＨ上で伝送されるランダムアクセス応答のような上位層制御メッセージのリソース割当情報、端末グループ内の個別端末に対するＴｘパワー制御命令セット、Ｔｘパワー制御命令、ＶｏＩＰ（Ｖｏｉｃｅ  ｏｖｅｒ  ＩＰ）の活性化指示情報などを運ぶ。複数のＰＤＣＣＨが制御領域内で伝送されることがあり、端末は複数のＰＤＣＣＨをモニタリングしてもよい。ＰＤＣＣＨは、一つ又は複数の連続した制御チャネル要素（Ｃｏｎｔｒｏｌ  Ｃｈａｎｎｅｌ  Ｅｌｅｍｅｎｔ、ＣＣＥ）の集合（ａｇｇｒｅｇａｔｉｏｎ）上で伝送される。ＣＣＥは、ＰＤＣＣＨに無線チャネル状態に基づくコーディングレートを提供するのに用いられる論理的割当ユニットである。ＣＣＥは、複数のリソース要素グループ（Ｒｅｓｏｕｒｃｅ  Ｅｌｅｍｅｎｔ  Ｇｒｏｕｐ、ＲＥＧ）に対応する。ＰＤＣＣＨのフォーマット及びＰＤＣＣＨビットの個数はＣＣＥの個数によって決定される。基地局は、端末に伝送されるＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣは、ＰＤＣＣＨの所有者又は使用目的によって識別子（例、ＲＮＴＩ（Ｒａｄｉｏ  Ｎｅｔｗｏｒｋ  Ｔｅｍｐｏｒａｒｙ  Ｉｄｅｎｔｉｆｉｅｒ））でマスキングされる。例えば、ＰＤＣＣＨが特定端末のためのものである場合、当該端末の識別子（例、Ｃｅｌｌ−ＲＮＴＩ（Ｃ−ＲＮＴＩ））がＣＲＣにマスキングされればよい。ＰＤＣＣＨがページングメッセージのためのものである場合、ページング識別子（例、Ｐａｇｉｎｇ−ＲＮＴＩ（Ｐ−ＲＮＴＩ））がＣＲＣにマスキングされればよい。ＰＤＣＣＨがシステム情報（より具体的に、システム情報ブロック（Ｓｙｓｔｅｍ  Ｉｎｆｏｒｍａｔｉｏｎ  Ｂｌｏｃｋ、ＳＩＢ））のためのものであると、ＳＩ−ＲＮＴＩ（Ｓｙｓｔｅｍ  Ｉｎｆｏｒｍａｔｉｏｎ  ＲＮＴＩ）がＣＲＣにマスキングされればよい。ＰＤＣＣＨがランダムアクセス応答のためのものである場合、ＲＡ−ＲＮＴＩ（Ｒａｎｄｏｍ  Ａｃｃｅｓｓ−ＲＮＴＩ）がＣＲＣにマスキングされればよい。
【００４９】
図４は、ＬＴＥで用いられるアップリンクサブフレームの構造を例示する図である。
【００５０】
図４を参照すると、アップリンクサブフレームは、複数（例、２個）のスロットを含む。スロットは、ＣＰ長によって異なった数のＳＣ−ＦＤＭＡシンボルを含むことがある。アップリンクサブフレームは周波数領域でデータ領域と制御領域とに区別される。データ領域は、ＰＵＳＣＨ（Ｐｈｙｓｉｃａｌ  Ｕｐｌｉｎｋ  Ｓｈａｒｅｄ  Ｃｈａｎｎｅｌ）を含み、音声などのデータ信号を伝送するのに用いられる。制御領域は、ＰＵＣＣＨ（Ｐｈｙｓｉｃａｌ  Ｕｐｌｉｎｋ  Ｃｏｎｔｒｏｌ  Ｃｈａｎｎｅｌ）を含み、アップリンク制御情報（Ｕｐｌｉｎｋ  Ｃｏｎｔｒｏｌ  Ｉｎｆｏｒｍａｔｉｏｎ、ＵＣＩ）を伝送するのに用いられる。ＰＵＣＣＨは、周波数軸でデータ領域の両端部に位置しているＲＢ対（ＲＢ  ｐａｉｒ）を含み、スロットを境界にホッピングする。
【００５１】
ＰＵＣＣＨは次の制御情報を伝送するのに用いられるとよい。
−  ＳＲ（Ｓｃｈｅｄｕｌｉｎｇ  Ｒｅｑｕｅｓｔ）：アップリンクＵＬ−ＳＣＨリソースを要請するのに用いられる情報である。ＯＯＫ（Ｏｎ−Ｏｆｆ  Ｋｅｙｉｎｇ）方式で伝送される。
【００５２】
−  ＨＡＲＱ ＡＣＫ／ＮＡＣＫ：ＰＤＳＣＨ上のダウンリンクデータパケットに対する応答信号である。ダウンリンクデータパケットが成功的に受信されたか否かを表す。単一ダウンリンクコードワード（ＣｏｄｅＷｏｒｄ、ＣＷ）に対する応答としてＡＣＫ／ＮＡＣＫ １ビットが伝送され、二つのダウンリンクコードワードに対する応答としてＡＣＫ／ＮＡＣＫ ２ビットが伝送される。
【００５３】
−  ＣＱＩ（Ｃｈａｎｎｅｌ  Ｑｕａｌｉｔｙ  Ｉｎｄｉｃａｔｏｒ）：ダウンリンクチャネルに対するフィードバック情報である。ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たり２０ビットが使われる。
【００５４】
表３に、ＬＴＥにおいてＰＵＣＣＨフォーマットとＵＣＩとのマッピング関係を表す。
【００５５】
【表３】
0006046778.tif 000004
【００５６】
図５は、ＰＵＣＣＨフォーマット１ａ／１ｂのスロットレベル構造を示している。ＰＵＣＣＨフォーマット１ａ／１ｂは、ＡＣＫ／ＮＡＣＫ伝送に用いられる。ノーマルＣＰでは、ＳＣ−ＦＤＭＡ ＃２／＃３／＃４がＤＭ ＲＳ（Ｄｅｍｏｄｕｌａｔｉｏｎ  Ｒｅｆｅｒｅｎｃｅ  Ｓｉｇｎａｌ）伝送に用いられる。拡張ＣＰでは、ＳＣ−ＦＤＭＡ ＃２／＃３がＤＭ ＲＳ伝送に用いられる。そのため、スロットで４個のＳＣ−ＦＤＭＡシンボルがＡＣＫ／ＮＡＣＫ伝送に用いられる。便宜上、ＰＵＣＣＨフォーマット１ａ／１ｂをＰＵＣＣＨフォーマット１と総称する。
【００５７】
図５を参照すると、１ビット［ｂ（０）］及び２ビット［ｂ（０）ｂ（１）］ＡＣＫ／ＮＡＣＫ情報はそれぞれ、ＢＰＳＫ（Ｂｉｎａｒｙ  Ｐｈａｓｅ  Ｓｈｉｆｔ  Ｋｅｙｉｎｇ）及びＱＰＳＫ（Ｑｕａｄｒａｔｕｒｅ  Ｐｈａｓｅ  Ｓｈｉｆｔ  Ｋｅｙｉｎｇ）変調方式によって変調され、一つのＡＣＫ／ＮＡＣＫ変調シンボルが生成される（ｄ０）。ＡＣＫ／ＮＡＣＫ情報においてそれぞれのビット［ｂ（ｉ）、ｉ=０，１」は、該当のＤＬ伝送ブロックに対するＨＡＲＱ応答を表し、ポジティブＡＣＫの場合に、該当のビットは１と与えられ、ネガティブＡＣＫ（ＮＡＣＫ）の場合に、該当のビットは０と与えられる。表４は、既存のＬＴＥにおいてＰＵＣＣＨフォーマット１ａ及び１ｂのために定義された変調テーブルを表すものである。
【００５８】
【表４】
0006046778.tif 000005
【００５９】
ＰＵＣＣＨフォーマット１ａ／１ｂは、周波数ドメインにおいてサイクリックシフト（αｃｓ，ｘ）を行い、時間ドメインにおいて直交拡散コード（例、Ｗａｌｓｈ−Ｈａｄａｍａｒｄ又はＤＦＴコード）（ｗ０，ｗ１，ｗ２，ｗ３）を用いて拡散をする。周波数及び時間ドメインの両方においてコード多重化が用いられるため、より多い端末が同じＰＵＣＣＨ ＲＢ上に多重化されることが可能である。
【００６０】
図６は、ＡＣＫ／ＮＡＣＫのためのＰＵＣＣＨリソースを決定する例を示す図である。ＬＴＥ（−Ａ）システムにおいてＡＣＫ／ＮＡＣＫのためのＰＵＣＣＨリソースが各端末にあらかじめ割り当てられているのではないから、複数のＰＵＣＣＨリソースを、セル内の複数の端末が毎時点ごとに分けて使用する。具体的に、端末がＡＣＫ／ＮＡＣＫを伝送するのに使用するＰＵＣＣＨリソースは、該当のダウンリンクデータに関するスケジューリング情報を運ぶＰＤＣＣＨ或いはＳＰＳ解除を指示するＰＤＣＣＨに対応する。各ダウンリンクサブフレームで端末に伝送されるＰＤＣＣＨは、一つ以上のＣＣＥ（Ｃｏｎｔｒｏｌ  Ｃｈａｎｎｅｌ  Ｅｌｅｍｅｎｔ）で構成される。端末は、該当のＰＤＣＣＨを構成するＣＣＥのうち特定ＣＣＥ（例、最初のＣＣＥ）に対応するＰＵＣＣＨリソースを用いてＡＣＫ／ＮＡＣＫを伝送すればよい。
【００６１】
図６を参照すると、ダウンリンクコンポーネント搬送波（ＤｏｗｎＬｉｎｋ  Ｃｏｍｐｏｎｅｎｔ  Ｃａｒｒｉｅｒ、ＤＬ ＣＣ）で各ボックスはＣＣＥを表し、アップリンクコンポーネント搬送波（ＵｐＬｉｎｋ  Ｃｏｍｐｏｎｅｎｔ  Ｃａｒｒｉｅｒ、ＵＬ ＣＣ）で各ボックスはＰＵＣＣＨリソースを表す。それぞれのＰＵＣＣＨインデックスは、ＡＣＫ／ＮＡＣＫのためのＰＵＣＣＨリソースに対応する。図６のように、４〜６番のＣＣＥで構成されたＰＤＣＣＨを介してＰＤＳＣＨに対する情報が伝達されるとすれば、端末は、ＰＤＣＣＨを構成する最初のＣＣＥである４番のＣＣＥに対応する４番のＰＵＣＣＨを用いてＡＣＫ／ＮＡＣＫを伝送する。
【００６２】
具体的に、ＬＴＥ（−Ａ）システムにおいてＰＵＣＣＨリソースインデックスは、次のように定められる。
【００６３】
【数１】
0006046778.tif 000006
【００６４】
ここで、ｎ(1)PUCCHは、ＡＣＫ／ＮＡＣＫ／ＤＴＸを伝送するためのＰＵＣＣＨフォーマット１ａ／１ｂのリソースインデックスを表し、Ｎ(1)PUCCHは、上位層から伝達されるシグナリング値を表し、ｎCCEは、ＰＤＣＣＨ伝送に用いられたＣＣＥインデックスのうち、最も小さい値を表す。ｎ(1)PUCCHから、ＰＵＣＣＨフォーマット１ａ／１ｂのためのサイクリックシフト、直交拡散コード及びＰＲＢ（Ｐｈｙｓｉｃａｌ  Ｒｅｓｏｕｒｃｅ  Ｂｌｏｃｋ）が得られる。
【００６５】
一方、ＬＴＥ端末は、ＰＵＣＣＨとＰＵＳＣＨを同時に伝送することはできず、ＰＵＳＣＨが伝送されるサブフレームにおいてＵＣＩ（例、ＣＱＩ／ＰＭＩ、ＨＡＲＱ−ＡＣＫ、ＲＩなど）の伝送が必要な場合に、ＵＣＩをＰＵＳＣＨ領域に多重化する（ＰＵＳＣＨピギーバック）。ＬＴＥ−Ａでも端末がＰＵＣＣＨとＰＵＳＣＨを同時に伝送できないように構成されることがある。この場合、ＰＵＳＣＨが伝送されるサブフレームにおいてＵＣＩ（例、ＣＱＩ／ＰＭＩ、ＨＡＲＱ−ＡＣＫ、ＲＩなど）の伝送が必要な場合に、端末はＵＣＩをＰＵＳＣＨ領域に多重化すればよい（ＰＵＳＣＨピギーバック）。
【００６６】
図７は、単一セル状況においてＴＤＤ ＵＬ ＡＣＫ／ＮＡＣＫ伝送過程を示す図である。
【００６７】
図７を参照すると、端末は、Ｍ個のＤＬサブフレーム（Ｓｕｂｆｒａｍｅ、ＳＦ）上で一つ以上のＤＬ伝送（例、ＰＤＳＣＨ信号）を受信することができる（Ｓ５０２＿０〜Ｓ５０２＿Ｍ−１）。それぞれのＰＤＳＣＨ信号は、伝送モードによって一つ又は複数（例、２個）の伝送ブロック（ＴＢ）（或いは、コードワード（ＣＷ））を伝送するのに用いられる。また、図示してはいないが、段階Ｓ５０２＿０〜Ｓ５０２＿Ｍ−１において、ＡＣＫ／ＮＡＣＫ応答を要するＰＤＣＣＨ信号、例えば、ＳＰＳ解除を指示するＰＤＣＣＨ信号（簡単に、ＳＰＳ解除ＰＤＣＣＨ信号ともいう。）も受信されることがある。Ｍ個のＤＬサブフレームにＰＤＳＣＨ信号及び／又はＳＰＳ解除ＰＤＣＣＨ信号が存在すると、端末は、ＡＣＫ／ＮＡＣＫを伝送するための過程（例、ＡＣＫ／ＮＡＣＫ（ペイロード）生成、ＡＣＫ／ＮＡＣＫリソース割当など）を経て、Ｍ個のＤＬサブフレームに対応する一つのＵＬサブフレームでＡＣＫ／ＮＡＣＫを伝送する（Ｓ５０４）。ＡＣＫ／ＮＡＣＫは段階Ｓ５０２＿０〜Ｓ５０２＿Ｍ−１のＰＤＳＣＨ信号及び／又はＳＰＳ解除ＰＤＣＣＨ信号に対する受信応答情報を含む。ＡＣＫ／ＮＡＣＫは基本的に、ＰＵＣＣＨを介して伝送されるが（例、図５及び図６参照）、ＡＣＫ／ＮＡＣＫ伝送時点にＰＵＳＣＨ伝送があると、ＡＣＫ／ＮＡＣＫはＰＵＳＣＨを介して伝送されてもよい。ＡＣＫ／ＮＡＣＫ伝送のために表３の様々なＰＵＣＣＨフォーマットが用いられるとよい。また、伝送されるＡＣＫ／ＮＡＣＫビット数を減らすためにＡＣＫ／ＮＡＣＫバンドリング（ｂｕｎｄｌｉｎｇ）、ＡＣＫ／ＮＡＣＫチャネル選択（ｃｈａｎｎｅｌ  ｓｅｌｅｃｔｉｏｎ）のような種々の方法が用いられることもある。
【００６８】
上述した通り、ＴＤＤでは、Ｍ個のＤＬサブフレームで受信したデータに対するＡＣＫ／ＮＡＣＫが一つのＵＬサブフレームで伝送され（すなわち、Ｍ ＤＬ ＳＦ（ｓ）：１ ＵＬ ＳＦ）、それらの関係はＤＡＳＩ（Ｄｏｗｎｌｉｎｋ  Ａｓｓｏｃｉａｔｉｏｎ  Ｓｅｔ  Ｉｎｄｅｘ）によって与えられる。
【００６９】
表５は、ＬＴＥ（−Ａ）に定義されたＤＡＳＩ（Ｋ：｛ｋ0，ｋ1，…，ｋM-1｝）を表すものである。表５は、ＡＣＫ／ＮＡＣＫを伝送するＵＬサブフレームの立場で自身と関連しているＤＬサブフレームとの間隔を表す。具体的に、サブフレームｎ−ｋ（ｋ∈Ｋ）にＰＤＳＣＨ伝送及び／又はＳＰＳ解除ＰＤＣＣＨがあれば、端末は、サブフレームｎで対応のＡＣＫ／ＮＡＣＫを伝送する。
【００７０】
【表５】
0006046778.tif 000007
【００７１】
ＴＤＤ方式で動作時に、端末はＭ個のＤＬ ＳＦで受信した一つ以上のＤＬ伝送（例、ＰＤＳＣＨ）に対するＡＣＫ／ＮＡＣＫ信号を、一つのＵＬ ＳＦで伝送しなければならない。複数のＤＬ ＳＦに対するＡＣＫ／ＮＡＣＫを一つのＵＬ ＳＦで伝送する方式は、次の通りである。
【００７２】
１）ＡＣＫ／ＮＡＣＫバンドリング（ＡＣＫ／ＮＡＣＫ  ｂｕｎｄｌｉｎｇ）：複数のデータユニット（例、ＰＤＳＣＨ、ＳＰＳ解除ＰＤＣＣＨなど）に対するＡＣＫ／ＮＡＣＫビットが論理演算（例、論理−ＡＮＤ演算）により結合する。例えば、全てのデータユニットが成功的に復号されると、受信端（例、端末）はＡＣＫ信号を伝送する。一方、データユニットのいずれかでも復号（又は検出）に失敗すると、受信端はＮＡＣＫ信号を伝送したり何にも伝送しない。
【００７３】
２）チャネル選択（ｃｈａｎｎｅｌ  ｓｅｌｅｃｔｉｏｎ）：複数のデータユニット（例、ＰＤＳＣＨ、ＳＰＳ解除ＰＤＣＣＨなど）を受信する端末は、ＡＣＫ／ＮＡＣＫ伝送のために複数のＰＵＣＣＨリソースを占有する。複数のデータユニットに対するＡＣＫ／ＮＡＣＫ応答は、実際にＡＣＫ／ＮＡＣＫ伝送に使われたＰＵＣＣＨリソースと、伝送されたＡＣＫ／ＮＡＣＫ内容（例、ビット値、ＱＰＳＫシンボル値）との組み合わせにより識別される。チャネル選択方式はＡＣＫ／ＮＡＣＫ選択方式、ＰＵＣＣＨ選択方式とも呼ばれる。
【００７４】
チャネル選択方式についてより具体的に説明する。チャネル選択方式において、端末は複数のダウンリンクデータを受信した場合に、多重化されたＡＣＫ／ＮＡＣＫ信号を伝送するために複数のアップリンク物理チャネルリソース（例、ＰＵＣＣＨリソース）を占有する。一例として、端末は、複数のＰＤＳＣＨを受信した場合に、各ＰＤＳＣＨを指示するＰＤＣＣＨの特定ＣＣＥを用いて同じ数のＰＵＣＣＨリソースを占有することがある。この場合、占有した複数のＰＵＣＣＨリソースのいずれのＰＵＣＣＨリソースを選択するかと、選択したＰＵＣＣＨリソースに適用される変調／符号化された内容との組み合わせを用いて、多重化したＡＣＫ／ＮＡＣＫ信号を伝送すればよい。
【００７５】
表６は、ＬＴＥシステムに定義されたチャネル選択用マッピングテーブルを例示する。
【００７６】
【表６】
0006046778.tif 000008
【００７７】
表６で、ＨＡＲＱ−ＡＣＫ（ｉ）は、ｉ−番目のデータユニット（０≦ｉ≦３）のＨＡＲＱ ＡＣＫ／ＮＡＣＫ／ＤＴＸ応答を表す。ＨＡＲＱ ＡＣＫ／ＮＡＣＫ／ＤＴＸ応答は、ＡＣＫ、ＮＡＣＫ、ＤＴＸ、ＮＡＣＫ／ＤＴＸを含む。ＮＡＣＫ／ＤＴＸは、ＮＡＣＫ又はＤＴＸを表す。ＡＣＫ及びＮＡＣＫは、ＰＤＳＣＨを介して伝送された伝送ブロック（コードブロックと等価である。）のデコーディング成功及び失敗を表す。ＤＴＸ（Ｄｉｓｃｏｎｔｉｎｕｏｕｓ  Ｔｒａｎｓｍｉｓｓｉｏｎ）は、ＰＤＣＣＨ検出失敗を表す。それぞれのデータユニットについて最大４個のＰＵＣＣＨリソース（すなわち、ｎ(1)PUCCH,0〜ｎ(1)PUCCH,3）が占有されるとよい。多重化したＡＣＫ／ＮＡＣＫは、占有されたＰＵＣＣＨリソースから選択された一つのＰＵＣＣＨリソースを介して伝送される。表６に記載されたｎ(1)PUCCH,iは、実際にＡＣＫ／ＮＡＣＫを伝送するのに用いられるＰＵＣＣＨリソースを表す。ｂ（０）ｂ（１）は、選択されたＰＵＣＣＨリソースを介して伝送される２ビットを表すもので、ＱＰＳＫ方式で変調される。一例として、端末が４個のデータユニットを成功的に復号したとすれば、端末は、ｎ(1)PUCCH,1のＰＵＣＣＨリソースを用いて（１，１）を基地局に伝送する。ＰＵＣＣＨリソースとＱＰＳＫシンボルとの組み合わせが、可能なＡＣＫ／ＮＡＣＫ仮定を全部表すには足りない点から、一部の場合を除けば、ＮＡＣＫとＤＴＸとがカップリングされる（ＮＡＣＫ／ＤＴＸ、Ｎ／Ｄ）。
【００７８】
図８は、キャリアアグリゲーション（Ｃａｒｒｉｅｒ  Ａｇｇｒｅｇａｔｉｏｎ、ＣＡ）通信システムを例示する図である。ＬＴＥ−Ａシステムは、より広い周波数帯域を使用するために、複数のＵＬ／ＤＬ周波数ブロックを束ねてより大きいＵＬ／ＤＬ帯域幅を使用するキャリアアグリゲーション（ｃａｒｒｉｅｒ  ａｇｇｒｅｇａｔｉｏｎ又はｂａｎｄｗｉｄｔｈ  ａｇｇｒｅｇａｔｉｏｎ）技術を用いる。各周波数ブロックは、コンポーネントキャリア（Ｃｏｍｐｏｎｅｎｔ  Ｃａｒｒｉｅｒ、ＣＣ）により伝送される。コンポーネントキャリアは、その周波数ブロックのためのキャリア周波数（又は中心キャリア、中心周波数）と理解すればよい。
【００７９】
図８を参照すると、複数のＵＬ／ＤＬコンポーネントキャリア（Ｃｏｍｐｏｎｅｎｔ  Ｃａｒｒｉｅｒ、ＣＣ）を集めてより広いＵＬ／ＤＬ帯域幅を支援すればよい。ＣＣは、周波数領域で相互に隣接又は非−隣接するものでよい。各ＣＣの帯域幅は独立して定められるとよい。ＵＬ ＣＣの個数とＤＬ ＣＣの個数とが異なっている非対称キャリアアグリゲーションも可能である。例えば、ＤＬ ＣＣ  ２個、ＵＬ ＣＣ  １ケ個であると２：１で対応するように構成すればよい。ＤＬ ＣＣ／ＵＬ ＣＣリンクはシステムに固定的又は半−静的に構成されてよい。また、システム全体帯域がＮ個のＣＣで構成されていても、特定端末がモニタリング／受信できる周波数帯域は、Ｌ（＜Ｎ）個のＣＣに限定されてもよい。キャリアアグリゲーションに関する種々のパラメータは、セル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）方式で設定されるとよい。一方、制御情報は特定ＣＣを用いてのみ送受信されるように設定されてもよい。このような特定ＣＣをプライマリＣＣ（Ｐｒｉｍａｒｙ  ＣＣ、ＰＣＣ）（又はアンカーＣＣ）と呼び、残りのＣＣをセカンダリＣＣ（Ｓｅｃｏｎｄａｒｙ  ＣＣ、ＳＣＣ）と呼ぶことができる。
【００８０】
ＬＴＥ−Ａは、無線リソースを管理するためにセル（cell）の概念を使用する［３６．３００  Ｖ１０．２．０（２０１０−１２）  ５．５．Ｃａｒｒｉｅｒ  Ａｇｇｒｅｇａｔｉｏｎ；７．５．Ｃａｒｒｉｅｒ  Ａｇｇｒｅｇａｔｉｏｎ参照］。セルは、ダウンリンクリソースとアップリンクリソースとの組み合わせで定義され、アップリンクリソースは必須要素ではない。そのため、セルは、ダウンリンクリソース単独、又はダウンリンクリソースとアップリンクリソースとの組み合わせで構成される。キャリアアグリゲーションが支援される場合に、ダウンリンクリソースのキャリア周波数（又は、ＤＬ ＣＣ）とアップリンクリソースのキャリア周波数（又は、ＵＬ ＣＣ）とのリンケージ（ｌｉｎｋａｇｅ）はシステム情報により指示されるとよい。プライマリ周波数（又はＰＣＣ）上で動作するセルをプライマリセル（Ｐｒｉｍａｒｙ  Ｃｅｌｌ、ＰＣｅｌｌ）と呼び、セカンダリ周波数（又はＳＣＣ）上で動作するセルをセカンダリセル（Ｓｅｃｏｎｄａｒｙ  Ｃｅｌｌ、ＳＣｅｌｌ）と呼ぶことができる。ＰＣｅｌｌは、端末が初期接続確立（ｉｎｉｔｉａｌ  ｃｏｎｎｅｃｔｉｏｎ  ｅｓｔａｂｌｉｓｈｍｅｎｔ）過程を行ったり接続再確立過程を行うのに用いられる。ＰＣｅｌｌは、ハンドオーバー過程で指示されたセルを指すこともある。ＳＣｅｌｌは、ＲＲＣ接続確立がなされた後に構成可能であり、追加的な無線リソースを提供するのに用いられるものでよい。ＰＣｅｌｌとＳＣｅｌｌはサービングセルと総称されてもよい。したがって、ＲＲＣ＿ＣＯＮＮＥＣＴＥＤ状態にあるが、キャリアアグリゲーションが設定されていないか、又はキャリアアグリゲーションを支援しない端末については、ＰＣｅｌｌのみで構成されたサービングセルが一つのみ存在する。一方、ＲＲＣ＿ＣＯＮＮＥＣＴＥＤ状態にあり、且つキャリアアグリゲーションが設定された端末については、一つ以上のサービングセルが存在し、全体サービングセルにはＰＣｅｌｌ及び全体ＳＣｅｌｌが含まれる。キャリアアグリゲーションのために、ネットワークは初期保安活性化（ｉｎｉｔｉａｌ  ｓｅｃｕｒｉｔｙ  ａｃｔｉｖａｔｉｏｎ）過程が開始された後、接続確立過程で初期に構成されるＰＣｅｌｌに加えて、一つ以上のＳＣｅｌｌをキャリアアグリゲーションを支援する端末のために構成すればよい。
【００８１】
クロスキャリアスケジューリング（又はクロス−ＣＣスケジューリング）が適用される場合、ダウンリンク割当のためのＰＤＣＣＨはＤＬ ＣＣ＃０で伝送され、該当のＰＤＳＣＨはＤＬ ＣＣ＃２で伝送されるとよい。クロス−ＣＣスケジューリングのために、キャリア指示フィールド（Ｃａｒｒｉｅｒ  Ｉｎｄｉｃａｔｏｒ  Ｆｉｅｌｄ、ＣＩＦ）の導入が考慮されてもよい。ＰＤＣＣＨ中におけるＣＩＦの存在有無は、上位層シグナリング（例、ＲＲＣシグナリング）により半−静的及び端末−特定（又は端末グループ−特定）方式で設定されればよい。ＰＤＣＣＨ伝送のベースラインを要約すると、次の通りである。
【００８２】
−  ＣＩＦディセーブルド（ｄｉｓａｂｌｅｄ）：ＤＬ ＣＣ上のＰＤＣＣＨは、同じＤＬ ＣＣ上のＰＤＳＣＨリソースを割り当てたり、一つのリンクされたＵＬ ＣＣ上のＰＵＳＣＨリソースを割り当てる。
【００８３】
−  ＣＩＦイネーブルド（ｅｎａｂｌｅｄ）：ＤＬ ＣＣ上のＰＤＣＣＨは、ＣＩＦを用いて、複数の束ねられたＤＬ／ＵＬ ＣＣのうちの特定ＤＬ／ＵＬ ＣＣ上のＰＤＳＣＨ又はＰＵＳＣＨリソースを割り当てることが可能である。
【００８４】
ＣＩＦが存在する場合、基地局は、端末側のＢＤ複雑度を下げるには、ＰＤＣＣＨモニタリングＤＬ ＣＣセットを割り当てればよい。ＰＤＣＣＨモニタリングＤＬ ＣＣセットは、束ねられた全体ＤＬ ＣＣの一部であって、一つ以上のＤＬ ＣＣを含み、端末は、当該ＤＬ ＣＣ上でのみＰＤＣＣＨの検出／デコーディングを行う。すなわち、基地局が端末にＰＤＳＣＨ／ＰＵＳＣＨをスケジューリングするとき、ＰＤＣＣＨはＰＤＣＣＨモニタリングＤＬ ＣＣセットを介してのみ伝送される。ＰＤＣＣＨモニタリングＤＬ ＣＣセットは、端末−特定（ＵＥ−ｓｐｅｃｉｆｉｃ）、端末−グループ−特定、又はセル−特定（ｃｅｌｌ−ｓｐｅｃｉｆｉｃ）方式で設定されるとよい。「ＰＤＣＣＨモニタリングＤＬ ＣＣ」という用語は、モニタリングキャリア、モニタリングセルなどの等価の用語に代えてもよい。また、端末のために束ねられたＣＣは、サービングＣＣ、サービングキャリア、サービングセルなどの等価の用語に代えてもよい。
【００８５】
図９は、複数のキャリアが束ねられた場合のスケジューリングを例示する図である。同図は、３個のＤＬ ＣＣが束ねられており、ＤＬ ＣＣ ＡがＰＤＣＣＨモニタリングＤＬ ＣＣに設定された場合を例示する。ＤＬ ＣＣ Ａ〜Ｃは、サービングＣＣ、サービングキャリア、サービングセルなどと呼ばれてもよい。ＣＩＦがディセーブルされた場合に、それぞれのＤＬ ＣＣは、ＬＴＥ ＰＤＣＣＨ規則に基づいてＣＩＦ無しに、自身のＰＤＳＣＨをスケジューリングするＰＤＣＣＨのみを伝送すればよい。一方、ＣＩＦがイネーブルされた場合には、ＤＬ ＣＣ Ａ（モニタリングＤＬ ＣＣ）は、ＣＩＦを用いてＤＬ ＣＣ ＡのＰＤＳＣＨをスケジューリングするＰＤＣＣＨだけでなく、他のＣＣのＰＤＳＣＨをスケジューリングするＰＤＣＣＨも伝送すればよい。この場合、ＰＤＣＣＨモニタリングＤＬ ＣＣと設定されないＤＬ ＣＣ Ｂ／Ｃでは、ＰＤＣＣＨが伝送されない。
【００８６】
以下、ＴＤＤ ＣＡにおいてＨＡＲＱ−ＡＣＫ伝送のために、ＰＵＣＣＨフォーマット１ｂを用いたチャネル選択方式が設定された場合について説明する。既存のＬＴＥ−Ａは、同じＴＤＤ ＵＬ−ＤＬ Ｃｆｇを持つ２個のサービングセル（すなわち、ＰＣｅｌｌとＳＣｅｌｌ）（或いはＰＣＣとＳＣＣ）が束ねられた場合を仮定する。
【００８７】
まず、ＨＡＲＱ−ＡＣＫ伝送のためのＵＬサブフレームｎでＭ≦２の場合に、ＰＵＣＣＨフォーマット１ｂを用いたチャネル選択方式について説明する。ここで、Ｍは、表５を参照して説明したＫ集合の元素の個数（すなわち、ＵＬ ＳＦに対応するＤＬ ＳＦの個数）に該当する。ＵＬサブフレームｎでＭ≦２の場合に、端末は、Ａ個のＰＵＣＣＨリソース（ｎ(1)PUCCH,i）から選択されたＰＵＣＣＨリソース上でｂ（０）ｂ（１）を伝送すればよい（０≦ｉ≦Ａ−１及びＡ⊂｛２，３，４｝）。具体的に、端末はＵＬサブフレームｎでＰＵＣＣＨフォーマット１ｂを用いて表７〜９によってＡ／Ｎ信号を伝送する。ＵＬサブフレームｎでＭ＝１の場合に、ＨＡＲＱ−ＡＣＫ（ｊ）は、サービングセルｃに関連している、伝送ブロック又はＳＰＳ解除ＰＤＣＣＨに対するＡ／Ｎ応答を表す。ここで、Ｍ＝１の場合に、伝送ブロック、ＨＡＲＱ−ＡＣＫ（ｊ）及びＡ個のＰＵＣＣＨリソースは、表１０により与えられるとよい。ＵＬサブフレームｎでＭ＝２の場合に、ＨＡＲＱ−ＡＣＫ（ｊ）は、各サービングセルで集合Ｋにより与えられたＤＬサブフレーム内で、伝送ブロック又はＳＰＳ解除ＰＤＣＣＨに対するＡ／Ｎ応答を表す。ここで、Ｍ＝２の場合に、ＨＡＲＱ−ＡＣＫ（ｊ）のための各サービングセル上のサブフレーム及びＡ個のＰＵＣＣＨリソースは、表１１により与えられるとよい。
【００８８】
表７は、同じＵＬ−ＤＬ Ｃｆｇを持つ二つのＣＣが束ねられ、且つＭ＝１及びＡ＝２の場合に、ＬＴＥ−Ａシステムに定義されたチャネル選択用マッピングテーブルを例示する。
【００８９】
【表７】
0006046778.tif 000009
【００９０】
ここで、ｎ(1)PUCCH,0には、ＰＣＣ（或いはＰＣｅｌｌ）をスケジューリングするＰＤＣＣＨ（すなわち、ＰＣＣ−ＰＤＣＣＨ）にリンクされた暗黙的ＰＵＣＣＨリソースが、ｎ(1)PUCCH,1には、クロスＣＣスケジューリングの有無によって、ＳＣＣをスケジューリングするＰＤＣＣＨ（すなわち、ＳＣＣ−ＰＤＣＣＨ）にリンクされた暗黙的ＰＵＣＣＨリソース或いはＲＲＣで予約される明示的ＰＵＣＣＨリソースがそれぞれ割り当てられるとよい。例えば、クロス−ＣＣスケジューリング状況において、ｎ(1)PUCCH,0には、ＰＣＣ−ＰＤＣＣＨにリンクされた暗黙的ＰＵＣＣＨリソースが、ｎ(1)PUCCH,1には、ＳＣＣ−ＰＤＣＣＨにリンクされた暗黙的ＰＵＣＣＨリソースが割り当てられるとよい。
【００９１】
表８は、同じＵＬ−ＤＬ Ｃｆｇを持つ二つのＣＣが束ねられ、且つＭ＝１及びＡ＝３の場合に、ＬＴＥ−Ａシステムに定義されたチャネル選択用マッピングテーブルを例示する。
【００９２】
【表８】
0006046778.tif 000010
【００９３】
ここで、ＰＣＣがＭＩＭＯ ＣＣで、ＳＣＣがノン−ＭＩＭＯ ＣＣであれば、ｎ(1)PUCCH,0とｎ(1)PUCCH,1には、ＰＣＣ−ＰＤＣＣＨにリンクされた暗黙的ＰＵＣＣＨリソースが、ｎ(1)PUCCH,2には、クロスＣＣスケジューリングの有無によって、ＳＣＣ−ＰＤＣＣＨにリンクされた暗黙的ＰＵＣＣＨリソース或いはＲＲＣで予約される明示的ＰＵＣＣＨリソースが割り当てられるとよい。また、ＰＣＣがノン−ＭＩＭＯ ＣＣで、ＳＣＣがＭＩＭＯ ＣＣであれば、ｎ(1)PUCCH,0には、ＰＣＣ−ＰＤＣＣＨにリンクされた暗黙的ＰＵＣＣＨリソースが、ｎ(1)PUCCH,1とｎ(1)PUCCH,2には、クロスＣＣスケジューリングの有無によって、ＳＣＣ−ＰＤＣＣＨにリンクされた暗黙的ＰＵＣＣＨリソース或いはＲＲＣで予約される明示的ＰＵＣＣＨリソースが割り当てられるとよい。
【００９４】
表９は、同じＵＬ−ＤＬ Ｃｆｇを持つ二つのＣＣが束ねられ、且つＭ≦２及びＡ＝４の場合に、ＬＴＥ−Ａシステムに定義されたチャネル選択用マッピングテーブルを例示する。
【００９５】
【表９】
0006046778.tif 000011
【００９６】
ここで、ｎ(1)PUCCH,0とｎ(1)PUCCH,1には、クロス−ＣＣスケジューリングの有無にかかわらず、ＰＣＣ（或いはＰＣｅｌｌ）をスケジューリングするＰＤＣＣＨ（すなわち、ＰＣＣ−ＰＤＣＣＨ）にリンクされた暗黙的ＰＵＣＣＨリソースが、ｎ(1)PUCCH,2及び／又はｎ(1)PUCCH,3には、クロス−ＣＣスケジューリングの有無によって、ＳＣＣをスケジューリングするＰＤＣＣＨ（すなわち、ＳＣＣ−ＰＤＣＣＨ）にリンクされた暗黙的ＰＵＣＣＨリソース或いはＲＲＣで予約される明示的ＰＵＣＣＨリソースがそれぞれ割り当てられるとよい。例えば、クロス−ＣＣスケジューリング状況においてＭ＝２の場合に、ｎ(1)PUCCH,0とｎ(1)PUCCH,1にはそれぞれ１番目のＤＬ ＳＦと２番目のＤＬ ＳＦのＰＣＣ−ＰＤＣＣＨにリンクされた暗黙的ＰＵＣＣＨリソース、ｎ(1)PUCCH,2とｎ(1)PUCCH,3にはそれぞれ１番目のＤＬ ＳＦと２番目のＤＬ ＳＦのＳＣＣ−ＰＤＣＣＨにリンクされた暗黙的ＰＵＣＣＨリソースが割り当てられるとよい。
【００９７】
表１０は、Ｍ＝１の場合に、伝送ブロック、ＨＡＲＱ−ＡＣＫ（ｊ）及びＰＵＣＣＨリソースを例示する。
【００９８】
【表１０】
0006046778.tif 000012
*ＴＢ：伝送ブロック（ｔｒａｎｓｐｏｒｔ  ｂｌｏｃｋ）、ＮＡ：ｎｏｔ  ａｖａｉｌａｂｌｅ
【００９９】
表１１は、Ｍ＝２の場合に、伝送ブロック、ＨＡＲＱ−ＡＣＫ（ｊ）及びＰＵＣＣＨリソースを例示する。
【０１００】
【表１１】
0006046778.tif 000013
【０１０１】
次に、ＨＡＲＱ−ＡＣＫ伝送のためのＵＬサブフレームｎでＭ＞２の場合に、ＰＵＣＣＨフォーマット１ｂを用いたチャネル選択方式について説明する。基本的な事項は、Ｍ≦２の場合と同様／類似になっている。具体的に、端末は、ＵＬサブフレームｎでＰＵＣＣＨフォーマット１ｂを用いて表１２〜１３によってＡ／Ｎ信号を伝送する。ＵＬサブフレームｎでＭ＞２の場合に、ｎ(1)PUCCH,0及びｎ(1)PUCCH,1は、ＰＣｅｌｌ上のＤＬ伝送（例、ＰＤＳＣＨ伝送）と関連付けられ、ｎ(1)PUCCH,2及びｎ(1)PUCCH,3は、ＳＣｅｌｌ上のＤＬ伝送（例、ＰＤＳＣＨ伝送）と関連付けられる。
【０１０２】
また、任意のセル（ｃｅｌｌ）に対するＨＡＲＱ−ＡＣＫ（ｉ）は、当該セルをスケジューリングするＤＡＩ−ｃがｉ+１であるＰＤＣＣＨ（これに対応するＰＤＳＣＨ）に対するＡ／Ｎ応答を意味する。一方、ＰＤＳＣＨ ｗ／ｏ ＰＤＣＣＨが存在する場合、ＨＡＲＱ−ＡＣＫ（０）は、当該ＰＤＳＣＨ ｗ／ｏ ＰＤＣＣＨに対するＡ／Ｎ応答を、ＨＡＲＱ−ＡＣＫ（ｉ）は、ＤＡＩ−ｃがｉであるＰＤＣＣＨ（これに対応するＰＤＳＣＨ）に対するＡ／Ｎ応答を意味すればよい。
【０１０３】
表１２は、同じＵＬ−ＤＬ Ｃｆｇを持つ二つのＣＣが束ねられ、且つＭ＝３の場合に、ＬＴＥ−Ａシステムに定義されたチャネル選択用マッピングテーブルを例示する。
【０１０４】
【表１２】
0006046778.tif 000014
【０１０５】
ここで、ｎ(1)PUCCH,0及び／又はｎ(1)PUCCH,1には、クロスＣＣスケジューリングの有無にかかわらず、ＰＣＣ（或いはＰＣｅｌｌ）をスケジューリングするＰＤＣＣＨ（すなわち、ＰＣＣ−ＰＤＣＣＨ）にリンクされた暗黙的ＰＵＣＣＨリソースが、ｎ(1)PUCCH,2及び／又はｎ(1)PUCCH,3には、クロスＣＣスケジューリングの有無によって、ＳＣＣをスケジューリングするＰＤＣＣＨ（すなわち、ＳＣＣ−ＰＤＣＣＨ）にリンクされた暗黙的ＰＵＣＣＨリソース或いはＲＲＣで予約される明示的ＰＵＣＣＨリソースがそれぞれ割り当てられるとよい。例えば、ＴＤＤ状況において、ｎ(1)PUCCH,0とｎ(1)PUCCH,1にはそれぞれ、ＤＡＩ−ｃが１と２であるＰＣＣ−ＰＤＣＣＨにリンクされた暗黙的ＰＵＣＣＨリソースが、ｎ(1)PUCCH,2とｎ(1)PUCCH,3にはそれぞれ、ＤＡＩ−ｃが１と２であるＳＣＣ−ＰＤＣＣＨにリンクされた暗黙的ＰＵＣＣＨリソースが割り当てられるとよい。
【０１０６】
表１３は、同じＵＬ−ＤＬ Ｃｆｇを持つ二つのＣＣが束ねられ、Ｍ＝４の場合に、ＬＴＥ−Ａシステムに定義されたチャネル選択用マッピングテーブルを例示する。
【０１０７】
【表１３−１】
0006046778.tif 000015
【表１３−２】
0006046778.tif 000016
【表１３−３】
0006046778.tif 000017
【０１０８】
ここで、ｎ(1)PUCCH,0、ｎ(1)PUCCH,1、ｎ(1)PUCCH,2及びｎ(1)PUCCH,3は、表１２で例示したように割り当てられればよい。
【０１０９】
図１０は、ＴＤＤ ＣＡでＡ／Ｎ伝送過程を例示する。２つの同じＵＬ−ＤＬ構成を持つＣＣ（例、ＰＣＣとＳＣＣ）が束ねられた場合を仮定する。
【０１１０】
図１０を参照すると、端末は、第１ＣＣ（或いはセル）のための第１セットのＨＡＲＱ−ＡＣＫ、及び第２ＣＣ（或いはセル）のための第２セットのＨＡＲＱ−ＡＣＫを生成する（Ｓ１３０２）。その後、端末は、Ａ／Ｎ伝送のためのサブフレーム（以下、Ａ／Ｎサブフレーム）にＰＵＳＣＨ割当があるか否か確認する（Ｓ１３０４）。Ａ／ＮサブフレームにＰＵＳＣＨ割当がないと、端末はＰＵＣＣＨフォーマット１ｂ及びチャネル選択を行ってＡ／Ｎ情報を伝送する（表７〜表１３参照）。一方、Ａ／ＮサブフレームにＰＵＳＣＨ割当があると、端末はＡ／ＮビットをＰＵＳＣＨに多重化する。具体的に、端末は、第１セットのＨＡＲＱ−ＡＣＫと第２セットのＨＡＲＱ−ＡＣＫに対応するＡ／Ｎビットシーケンス（例、表１２〜表１３のｏ（０），ｏ（１），ｏ（２），ｏ（３））を生成する（Ｓ１３０８）。Ａ／Ｎビットシーケンスはチャネルコーディング（Ｓ１７０）、チャネルインターリバー（Ｓ１９０）を経てＰＵＳＣＨを介して伝送される（Ｓ１３１０）。チャネルコーディングにはＲＭ（Ｒｅｅｄ−Ｍｕｌｌｅｒ）コーディング、テールバイティングコンボリューショナルコーディング（Ｔａｉｌ−ｂｉｔｉｎｇ  ｃｏｎｖｏｌｕｔｉｏｎａｌ  ｃｏｄｉｎｇ）などがある。
【０１１１】
実施例：ＴＤＤ ＣＡのためのＡ／Ｎチャネル選択
【０１１２】
ＴＤＤベースのｂｅｙｏｎｄ  ＬＴＥ−Ａシステムでは、互いに異なったＵＬ−ＤＬ構成で動作する複数ＣＣの併合（ａｇｇｒｅｇａｔｉｏｎ）が考慮されてもよい。この場合、ＰＣＣとＳＣＣに設定されたＡ／Ｎタイミング（すなわち、各ＤＬ ＳＦを介して伝送されたＤＬデータに対するＡ／Ｎが伝送されるＵＬ ＳＦタイミング）が、該当のＣＣのＵＬ−ＤＬ構成によって互いに異なることがある。例えば、同じＤＬ ＳＦタイミング（これを通じて伝送されたＤＬデータ）に対してＡ／Ｎが伝送されるＵＬ ＳＦタイミングが、ＰＣＣとＳＣＣに互いに異なるように設定されることがあり、同じＵＬ ＳＦタイミングに伝送されるＡ／Ｎフィードバックの対象となるＤＬ ＳＦグループがＰＣＣとＳＣＣに互いに異なるように設定されることがある。また、同じＳＦタイミングに対してＰＣＣとＳＣＣのリンク方向（すなわち、ＤＬ又はＵＬ）が異なるように設定されていてもよい。一例として、特定ＳＦタイミングでＳＣＣはＵＬ ＳＦに設定される反面、ＰＣＣには当該ＳＦタイミングがＤＬ ＳＦに設定されてもよい。
【０１１３】
また、ＴＤＤベースのｂｅｙｏｎｄ  ＬＴＥ−Ａシステムでは、互いに異なったＴＤＤ ＵＬ−ＤＬ構成ベースのＣＡ状況（便宜上、相互異なった（ｄｉｆｆｅｒｅｎｔ）ＴＤＤ ＣＡと称する。）においてクロス−ＣＣスケジューリング動作支援が考慮されてもよい。この場合、ＭＣＣ（Ｍｏｎｉｔｏｒｉｎｇ  ＣＣ）とＳＣＣのそれぞれに設定されたＵＬグラントタイミング（ＵＬ伝送をスケジューリングするＵＬグラントが伝送されるＤＬ ＳＦタイミング）及びＰＨＩＣＨタイミング（ＵＬデータに対するＰＨＩＣＨが伝送されるＤＬ ＳＦタイミング）とが異なることがある。例えば、同じＵＬ ＳＦに対してＵＬグラント／ＰＨＩＣＨが伝送されるＤＬ ＳＦがＭＣＣとＳＣＣにおいて互いに異なるように設定されてもよい。また、同じＤＬ ＳＦで伝送されるＵＬグラント或いはＰＨＩＣＨフィードバックの対象となるＵＬ ＳＦグループがＭＣＣとＳＣＣにおいて互いに異なるように設定されてもよい。この場合にも、同じＳＦタイミングに対してＭＣＣとＳＣＣのリンク方向が異なるように設定されることがある。例えば、ＳＣＣでは特定ＳＦタイミングがＵＬグラント／ＰＨＩＣＨが伝送されるＤＬ ＳＦに設定される反面、ＭＣＣでは該当ＳＦタイミングがＵＬ ＳＦに設定されてもよい。
【０１１４】
一方、相互異なったＴＤＤ ＣＡ構成によりＰＣＣとＳＣＣのリンク方向が相互に異なるＳＦタイミング（以下、衝突（ｃｏｌｌｉｄｅｄ）ＳＦという。）が存在する場合、当該ＳＦタイミングでは端末のハードウェア構成或いは他の理由／目的などによってＰＣＣ／ＳＣＣのうち特定リンク方向或いは特定ＣＣ（例えば、ＰＣＣ）と同じリンク方向を持つＣＣのみを運用してよい。便宜上、このような方式をＨＤ（Ｈａｌｆ−Ｄｕｐｌｅｘ）−ＴＤＤ ＣＡと称する。例えば、ＰＣＣは、特定ＳＦタイミングがＤＬ ＳＦに設定され、ＳＣＣは当該ＳＦタイミングがＵＬ ＳＦに設定されて衝突ＳＦが形成される場合に、当該ＳＦタイミングで、ＤＬ方向を持つＰＣＣ（すなわち、ＰＣＣに設定されたＤＬ ＳＦ）のみを運用し、ＵＬ方向を持つＳＣＣ（すなわち、ＳＣＣに設定されたＵＬ ＳＦ）は運用しなくてもよい（逆の場合も可能）。このような状況において、全ＣＣのＤＬ ＳＦを介して伝送されたＤＬデータに対するＡ／ＮフィードバックをＰＣＣを介して伝送するには、各ＣＣ別に同一或いは異なった（特定ＵＬ−ＤＬ構成に設定された）Ａ／Ｎタイミングを適用したり、特定ＵＬ−ＤＬ構成に設定されたＡ／Ｎタイミングを全ＣＣに共通に適用する方案を考慮すればよい。ここで、全ＣＣに共通に適用される上記特定ＵＬ−ＤＬ構成（以下、基準構成（Ｒｅｆｅｒｅｎｃｅ  Ｃｏｎｆｉｇｕｒａｔｉｏｎ、Ｒｅｆ−Ｃｆｇ）という。）は、ＰＣＣ又はＳＣＣに設定されたのと同一であってもよく、それ以外のＵＬ−ＤＬ構成に決定されてもよい。
【０１１５】
ＨＤ−ＴＤＤ ＣＡの場合、一つのＵＬ ＳＦタイミングで、Ａ／Ｎフィードバックの対象となるＤＬ ＳＦ（以下、Ａ／Ｎ−ＤＬ ＳＦ）の個数がＰＣＣとＳＣＣで異なるように設定されてもよい。言い換えると、一つのＵＬ ＳＦに対応するＤＬ ＳＦ（便宜上、Ａ／Ｎ−ＤＬ ＳＦ）の個数をＭと定義すれば、一つのＰＣＣ ＵＬ ＳＦに対してＭ値がＣＣ別に異なるように／独立して設定されてもよい（ＣＣ別Ｍ値：Ｍｃ）。また、特定ＸＣＣ（例、ＰＣＣ又はＳＣＣ）のＲｅｆ−ＣｆｇがＰＣＣのＵＬ−ＤＬ構成（すなわち、ＰＣＣ−Ｃｆｇ）と同一でなければ、ＰＣＣ ＵＬ ＳＦタイミングに設定されるＸＣＣのＡ／Ｎ−ＤＬ ＳＦインデックスが、元来のＰＣＣ−ＣｆｇのＡ／Ｎタイミングを適用した時のＡ／Ｎ−ＤＬ ＳＦインデックスと異なる場合がある。特に、ＤＬデータをスケジューリングするＰＤＣＣＨのＣＣＥリソースにリンクされたＰＵＣＣＨリソースを暗黙的ＰＵＣＣＨとすれば、この場合には、クロス−ＣＣスケジューリング状況といっても、上記のような特定ＸＣＣ ＤＬ ＳＦ（これを通じて伝送されるべきＤＬデータをスケジューリングするＰＤＣＣＨ）に対しては、（当該ＳＦに対するＡ／Ｎが伝送されるＰＣＣ ＵＬ ＳＦに）暗黙的ＰＵＣＣＨが定義されていないことがある。
【０１１６】
図１１は、ＨＤ−ＴＤＤ ＣＡ構造を例示する。同図で、灰色の陰影（Ｘ）は、衝突ＳＦで使用が制限されるＣＣ（リンク方向）を例示し、点線矢印は、ＰＣＣ ＵＬ ＳＦに暗黙的ＰＵＣＣＨがリンクされていないＤＬ ＳＦを例示する。
【０１１７】
一方、ＰＣＣとＳＣＣのリンク方向か互いに異なる衝突ＳＦで、ＵＬ／ＤＬ同時送受信を全て許容する方式が考慮されてもよい。便宜上、このような方式をＦＤ（Ｆｕｌｌ−Ｄｕｐｌｅｘ）−ＴＤＤ ＣＡと称する。この場合も、全てのＣＣのＤＬ ＳＦに対するＡ／Ｎフィードバックを一つのＰＣＣ ＵＬ ＳＦを介して伝送するには、ＣＣ別に同一或いは異なった（Ｒｅｆ−Ｃｆｇに設定された）Ａ／Ｎタイミングを適用したり、特定Ｒｅｆ−Ｃｆｇに設定されたＡ／Ｎタイミングを全てのＣＣに共通に適用したりすればよい。Ｒｅｆ−Ｃｆｇは、ＰＣＣ−Ｃｆｇ又はＳＣＣ−Ｃｆｇと同一であってもよく、それ以外のＵＬ−ＤＬ Ｃｆｇにしてもよい。ＦＤ−ＴＤＤ ＣＡ構造においても、一つのＰＣＣ ＵＬ ＳＦに対してＭ値がＣＣ別に異なるように／独立して設定されてもよく、クロス−ＣＣスケジューリング状況といっても、ＸＣＣ ＤＬ ＳＦに対しては（当該ＳＦに対応するＰＣＣ ＵＬ ＳＦに）暗黙的ＰＵＣＣＨが定義されないことがある。図１２は、ＦＤ−ＴＤＤ ＣＡ構造を例示し、点線矢印は、ＰＣＣ ＵＬ ＳＦに暗黙的ＰＵＣＣＨがリンクされていないＤＬ ＳＦを例示する。
【０１１８】
以下、（互いに異なったＴＤＤ ＵＬ−ＤＬ構成を持つ）複数ＣＣのＣＡ状況においてチャネル選択ベースのＡ／Ｎ伝送のためのＡ／Ｎ状態マッピング及び運用方法について提案する。発明の理解を助けるために、以下の説明は２個のＣＣ（すなわち、ＰＣＣとＳＣＣ）のＣＡ状況を仮定する。この場合、ＰＣＣ ＵＬ ＳＦ ｎに設定されるＣＣ１（例、ＰＣＣ）（又はＳＣＣ）及びＣＣ２（例、ＳＣＣ）（又はＰＣＣ）のＡ／Ｎ−ＤＬ ＳＦ個数（表５、集合Ｋの元素個数を参照）をそれぞれＭ１、Ｍ２と定義する。ここで、Ｍ１値とＭ２値は、相互異なったＴＤＤ ＵＬ−ＤＬ構成及び／又はＲｅｆ−Ｃｆｇ適用により、互いに異なるように設定されてもよい。また、以下で、ＡはＡＣＫを意味し、ＮはＮＡＣＫを意味し、Ｄはデータ未受信或いはＰＤＣＣＨ未受信（すなわち、ＤＴＸ）を意味する。Ｎ／Ｄは、ＮＡＣＫ或いはＤＴＸであることを意味し、ａｎｙは、ＡＣＫ、ＮＡＣＫ或いはＤＴＸであることを意味する。また、ＣＣを介して伝送可能な最大伝送ブロック（Ｔｒａｎｓｐｏｒｔ  Ｂｌｏｃｋ、ＴＢ）の個数を便宜上、Ｎｔｂと定義する。また、ＰＤＣＣＨ無しで伝送されるＤＬデータ（例、ＳＰＳにより伝送されるＰＤＳＣＨ）を便宜上、ＤＬデータｗ／ｏ ＰＤＣＣＨと称する。また、ＤＬデータは、ＡＣＫ／ＮＡＣＫフィードバックが要求されるＰＤＣＣＨ／ＰＤＳＣＨを総称し、ＳＰＳ解除を指示するＰＤＣＣＨを含んでもよい。また、ＤＬ ＳＦは、一般的なＤＬ ＳＦの他、スペシャルＳＦも含むことが可能である。
【０１１９】
本発明を説明するに先立って、既存ＴＤＤ ＣＡのチャネル選択方式について再度説明する。表７〜表１３を参照して説明した通り、既存ＬＴＥ−Ａは、同じＴＤＤ ＵＬ−ＤＬ Ｃｆｇを持つ２個ＣＣ（例、ＰＣＣとＳＣＣ）のＣＡ状況においてＡ／Ｎ伝送のためにチャネル選択方式を適用することができる。具体的に、ＬＴＥ−Ａは、Ｍ＝１，２，３，４の場合に対して各ＣＣ別に次のようにＡ／Ｎ状態マッピングを考慮している。
【０１２０】
◆ Ｍ＝１
【０１２１】
○ Ｎｔｂ＝１の場合：ＡＣＫ−ｒｓｐ（１）は、該当のＴＢに対するＡ／Ｎ応答
【０１２２】
【表１４】
0006046778.tif 000018
【０１２３】
○ Ｎｔｂ＝２の場合：ＡＣＫ−ｒｓｐ（ｉ）は、ｉ番目のＴＢに対するＡ／Ｎ応答
【０１２４】
【表１５】
0006046778.tif 000019
【０１２５】
◆ Ｍ＝２
【０１２６】
○ ＡＣＫ−ｒｓｐ（ｉ）は、ｉ番目のＤＬ ＳＦで伝送されたＤＬデータに対するＡ／Ｎ応答
【０１２７】
【表１６】
0006046778.tif 000020
【０１２８】
◆ Ｍ＝３
【０１２９】
○ ＤＬデータｗ／ｏ ＰＤＣＣＨが存在しない場合：
【０１３０】
ＡＣＫ−ｒｓｐ（ｉ）は、ＤＡＩ＝ｉであるＰＤＣＣＨに対応するＤＬデータに対するＡ／Ｎ応答
【０１３１】
○ ＤＬデータｗ／ｏ ＰＤＣＣＨが存在する場合：
【０１３２】
ＡＣＫ−ｒｓｐ（１）は、ＤＬデータｗ／ｏ ＰＤＣＣＨに対するＡ／Ｎ応答、ＡＣＫ−ｒｓｐ（ｉ+１）は、ＤＡＩ＝ｉであるＰＤＣＣＨに対応するＤＬデータに対するＡ／Ｎ応答
【０１３３】
【表１７】
0006046778.tif 000021
【０１３４】
◆ Ｍ＝４
【０１３５】
○ ＤＬデータｗ／ｏ ＰＤＣＣＨが存在しない場合：
ＡＣＫ−ｒｓｐ（ｉ）は、ＤＡＩ＝ｉであるＰＤＣＣＨに対応するＤＬデータに対するＡ／Ｎ応答
【０１３６】
○ ＤＬデータｗ／ｏ ＰＤＣＣＨが存在する場合：
ＡＣＫ−ｒｓｐ（１）は、ＤＬデータｗ／ｏ ＰＤＣＣＨに対するＡ／Ｎ応答、ＡＣＫ−ｒｓｐ（ｉ+１）は、ＤＡＩ＝ｉであるＰＤＣＣＨに対応するＤＬデータに対するＡ／Ｎ応答
【０１３７】
【表１８】
0006046778.tif 000022
【０１３８】
表１４〜表１８のＣＣ別Ａ／Ｎ状態を実際（ＰＵＣＣＨリソース、ＱＰＳＫシンボル）組み合わせにマッピングするために、Ｍ値によって次の方法が適用される（以下、基本マッピング規則という）。
【０１３９】
◆ Ｍ＝１
【０１４０】
○ ２個ＣＣが皆Ｎｔｂ＝１の場合
−  表７のＨＡＲＱ−ＡＣＫ（０）、（１）をそれぞれ、ＰＣＣのＡＣＫ−ｒｓｐ（１）、ＳＣＣのＡＣＫ−ｒｓｐ（１）に取り替える。
【０１４１】
○ ＰＣＣはＮｔｂ＝１、ＳＣＣはＮｔｂ＝２の場合
−  表８のＨＡＲＱ−ＡＣＫ（０）、（１）、（２）をそれぞれ、ＰＣＣのＡＣＫ−ｒｓｐ（１）、ＳＣＣのＡＣＫ−ｒｓｐ（１）、ＡＣＫ−ｒｓｐ（２）に取り替える。
【０１４２】
○ ＰＣＣはＮｔｂ＝２、ＳＣＣはＮｔｂ＝１の場合
−  表８のＨＡＲＱ−ＡＣＫ（０）、（１）、（２）をそれぞれ、ＰＣＣのＡＣＫ−ｒｓｐ（１）、（２）及びＳＣＣのＡＣＫ−ｒｓｐ（１）に取り替える。
【０１４３】
○ ２個ＣＣが両方ともＮｔｂ＝２の場合
−  表９のＨＡＲＱ−ＡＣＫ（０）、（１）、（２）、（３）をそれぞれ、ＰＣＣのＡＣＫ−ｒｓｐ（１）、（２）、及びＳＣＣのＡＣＫ−ｒｓｐ（１）、（２）に取り替える。
【０１４４】
◆ Ｍ＝２
【０１４５】
○ 表９のＨＡＲＱ−ＡＣＫ（０）、（１）、（２）、（３）をそれぞれ、ＰＣＣのＡＣＫ−ｒｓｐ（１）、（２）、及びＳＣＣのＡＣＫ−ｒｓｐ（１）、（２）に取り替える。
【０１４６】
−  例えば、ＰＣＣのＡＣＫ−ｒｓｐ（１）、（２）＝（Ａ、Ｎ／Ｄ）で、ＳＣＣのＡＣＫ−ｒｓｐ（１）、（２）＝（Ｎ／Ｄ、Ａ）である場合、表９でＨＡＲＱ−ＡＣＫ（０）、（１）、（２）、（３）＝（Ａ、Ｎ／Ｄ、Ｎ／Ｄ、Ａ）の時に選択される（ＰＵＣＣＨリソース、ＱＰＳＫシンボル）組み合わせ、すなわち（ｎ(1)PUCCH,0、ｂ（０）（１）＝０、１）を用いてＡ／Ｎ伝送を行う。
【０１４７】
◆ Ｍ＝３
【０１４８】
○ ＰＣＣの場合、表９のＨＡＲＱ−ＡＣＫ（０）、（１）において各Ｒｅｆ−状態と同じＡ／Ｎ組み合わせを、当該Ｒｅｆ−状態に対応するＡＣＫ−ｒｓｐ（１）、（２）、（３）に取り替える。
【０１４９】
○ ＳＣＣの場合、表９のＨＡＲＱ−ＡＣＫ（２）、（３）において各Ｒｅｆ−状態と同じＡ／Ｎ組み合わせを、当該Ｒｅｆ−状態に対応するＡＣＫ−ｒｓｐ（１）、（２）、（３）に取り替える。
【０１５０】
−  例えば、ＰＣＣの場合、ＡＣＫ−ｒｓｐ（１）、（２）、（３）＝（Ａ、Ａ、Ａ）であり、これに対応するＲｅｆ−状態＝（Ａ、Ａ）であるとする。また、ＳＣＣの場合、ＡＣＫ−ｒｓｐ（１）、（２）、（３）＝（Ａ、Ｎ／Ｄ、ａｎｙ）であり、これに対応するＲｅｆ−状態＝（Ａ、Ｎ／Ｄ）であるとする。この場合、表９で、ＨＡＲＱ−ＡＣＫ（０）、（１）、（２）、（３）＝（Ａ、Ａ、Ａ、Ｎ／Ｄ）の時に選択される（ＰＵＣＣＨリソース、ＱＰＳＫシンボル）組み合わせ、すなわち（ｎ(1)PUCCH,2、ｂ（０）（１）＝１、１）を用いてＡ／Ｎ伝送を行う。
【０１５１】
○ 上記過程から得られる最終チャネル選択マッピングは、表１２と同一である。
【０１５２】
◆ Ｍ＝４
【０１５３】
○ ＰＣＣの場合、表９のＨＡＲＱ−ＡＣＫ（０）、（１）において各Ｒｅｆ−状態と同じＡ／Ｎ組み合わせを、当該Ｒｅｆ−状態に対応するＡＣＫ−ｒｓｐ（１）、（２）、（３）、（４）に取り替える。
【０１５４】
○ ＳＣＣの場合、表９のＨＡＲＱ−ＡＣＫ（２）、（３）において各Ｒｅｆ−状態と同じＡ／Ｎ組み合わせを、当該Ｒｅｆ−状態に対応するＡＣＫ−ｒｓｐ（１）、（２）、（３）、（４）に取り替える。
【０１５５】
−  例えば、ＰＣＣの場合、ＡＣＫ−ｒｓｐ（１）、（２）、（３）、（４）＝（Ａ、Ａ、Ｎ／Ｄ、ａｎｙ）で、これに対応するＲｅｆ−状態＝（Ｎ／Ｄ、Ａ）であるとする。また、ＳＣＣの場合、ＡＣＫ−ｒｓｐ（１）、（２）、（３）、（４）＝（Ｎ／Ｄ、ａｎｙ、ａｎｙ、ａｎｙ）で、これに対応するＲｅｆ−状態＝（Ｎ／Ｄ、Ｎ／Ｄ）であるとする。この場合、表９で、ＨＡＲＱ−ＡＣＫ（０）、（１）、（２）、（３）＝（Ｎ／Ｄ、Ａ、Ｎ／Ｄ、Ｎ／Ｄ）の時に選択される（ＰＵＣＣＨリソース、ＱＰＳＫシンボル）組み合わせ、すなわち（ｎ(1)PUCCH,1、ｂ（０）（１）＝０、１）を用いてＡ／Ｎ伝送を行う。
【０１５６】
○ 上記過程から得られる最終チャネル選択マッピングは、表１３と同一である。
【０１５７】
以下、ＴＤＤ ＣＡであり、且つＡ／Ｎ伝送のためにチャネル選択方式が設定された場合に、本発明によってＡ／Ｎ情報をアップリンクで伝送する方案について具体的に説明する。下記の２方案を考慮するとよい。
【０１５８】
第１方案
【０１５９】
本方案のＡ／Ｎ状態マッピング規則によれば、まず、各ＣＣ別に当該ＣＣのＭ値を用いてＡ／Ｎ応答に対応するＨＡＲＱ−ＡＣＫ（ｉ）を生成する。すなわち、ＣＣ１はＭ１値に基づいてＣＣ１のＡ／Ｎ応答に対応するＨＡＲＱ−ＡＣＫ（ｉ）を生成し、ＣＣ２はＭ２値に基づいてＣＣ２のＡ／Ｎ応答に対応するＨＡＲＱ−ＡＣＫ（ｉ）を生成する（表１４〜表１８参照）。その後、基本マッピング規則を参照して、ＣＣ別に生成されたＨＡＲＱ−ＡＣＫ（ｉ）を連接（例、ＰＣＣ ｆｉｒｓｔ、ＳＣＣ ｌａｓｔ）させて全体Ａ／Ｎ状態に対応するＨＡＲＱ−ＡＣＫ（ｉ）を生成し、これに対応する（ＰＵＣＣＨリソース、ＱＰＳＫシンボル）組み合わせを用いて該当のＡ／Ｎ状態に対するＡ／Ｎ伝送を行えばよい。本方案によれば、該当のＣＣのＭ値を考慮してＣＣ別ＨＡＲＱ−ＡＣＫ（ｉ）を生成するので、Ｍ値によって最適のＡ／Ｎフィードバック伝送性能を得ることができる。参考として、Ａ／Ｎ状態マッピングサイズが小さいほど（すなわち、表９に比べて表８の方が、そして表８に比べて表７の方が）、より良いＡ／Ｎフィードバック伝送性能が得られる。例えば、Ｍ１＜Ｍ２と仮定すれば、ＣＣ１に対してＭ２値（又はＣＣ１及びＣＣ２に共通に適用される、Ｍ１よりも大きい他の値）ではなくＭ１値に基づいてＣＣ１のＡ／Ｎ応答に対応するＨＡＲＱ−ＡＣＫ（ｉ）を生成することによって、より良いＡ／Ｎフィードバック伝送性能を得ることができる。
【０１６０】
図１３は、本方案に係るＡ／Ｎ伝送例を示す図である。便宜上、同図は端末の立場で図示及び説明されるが、対応する動作が基地局で行われうることは明らかである。
【０１６１】
図１３を参照すると、端末は、互いに異なったＵＬ−ＤＬ構成（表１参照）を持つ複数のＣＣ（例、ＣＣ１、ＣＣ２）を束ねる（Ｓ１３０２）。これに制限されるものではないが、ＣＣ１はＰＣＣであり、ＣＣ２はＳＣＣであってよい。その後、端末はＤＬデータ（例、ＰＤＳＣＨ、ＳＰＳ解除ＰＤＣＣＨ）を受信すると、ＤＬデータに対するＡ／Ｎフィードバックを伝送するための過程を行う。具体的に、端末は、ＣＣ１のために第１ＨＡＲＱ−ＡＣＫセットをＭ１値を基準に生成し（Ｓ１３０４）、第２ＨＡＲＱ−ＡＣＫセットをＭ２値を基準に生成すればよい（Ｓ１３０６）。ここで、Ｍ１は、Ａ／Ｎ伝送のためのＰＣＣ ＵＬ ＳＦ（例、ＵＬ ＳＦ ｎ）に対応するＣＣ１ ＤＬ ＳＦの個数（表５で、Ｋセット内の元素個数に相当）を表す。同様に、Ｍ２は、Ａ／Ｎ伝送のためのＰＣＣ ＵＬ ＳＦ（例、ＵＬ ＳＦ ｎ）に対応するＣＣ２ ＤＬ ＳＦの個数（表５で、Ｋセット内の元素個数に相当）を表す。すなわち、ＣＣ別Ａ／Ｎ状態は、各ＣＣの個別Ｍ値に基づいて生成される。その後、端末は、第１ＨＡＲＱ−ＡＣＫセット及び第２ＨＡＲＱ−ＡＣＫセットを含む第３ＨＡＲＱ−ＡＣＫセットに対応する情報を基地局に伝送すればよい（Ｓ１３０８）。第３ＨＡＲＱ−ＡＣＫセットに対応する情報は、チャネル選択方式に基づいてＰＵＣＣＨ又はＰＵＳＣＨを介して伝送されるとよい。
【０１６２】
具体的に、（Ｍ１、Ｍ２）組み合わせによるＣＣ別Ａ／Ｎ状態マッピング、及びこれに対応する（ＰＵＣＣＨリソース、ＱＰＳＫシンボル）組み合わせは、下記のように決定されるとよい。
【０１６３】
◆（Ｍ１、Ｍ２）＝（１、２）の場合
【０１６４】
○ ＣＣ１：ＡＣＫ−ｒｓｐ（１）は、ＣＣ１を介して伝送されたＤＬデータに対する（空間バンドリングされた）Ａ／Ｎ応答
【０１６５】
【表１９】
0006046778.tif 000023
【０１６６】
○ ＣＣ２：ＡＣＫ−ｒｓｐ（ｉ）は、ＣＣ２のｉ番目のＤＬ ＳＦで伝送されたＤＬデータに対するＡ／Ｎ応答
【０１６７】
【表２０】
0006046778.tif 000024
【０１６８】
○ ＣＣ１＝ＰＣＣの場合
−  表８のＨＡＲＱ−ＡＣＫ（０）、（１）、（２）をそれぞれ、ＣＣ１のＡＣＫ−ｒｓｐ（１）、ＣＣ２のＡＣＫ−ｒｓｐ（１）、ＡＣＫ−ｒｓｐ（２）に取り替えてマッピングする。
【０１６９】
○ ＣＣ２＝ＰＣＣの場合
−  表８のＨＡＲＱ−ＡＣＫ（０）、（１）、（２）をそれぞれＣＣ２のＡＣＫ−ｒｓｐ（１）、ＡＣＫ−ｒｓｐ（２）、ＣＣ１のＡＣＫ−ｒｓｐ（１）に取り替えてマッピングする。
【０１７０】
○ 一方、ＣＣ１がＮｔｂ＝２の場合に、ＣＣ１に空間バンドリングを適用しなくてもよい。
−この時は、ＣＣ１を介して伝送されたＤＬデータの各ＴＢに対するＡ／Ｎ応答ＡＣＫ−ｒｓｐ（１）、（２）とＣＣ２のＡＣＫ−ｒｓｐ（１）、（２）とを規則（例、（ＰＣＣ  ｆｉｒｓｔ、ＳＣＣ  ｌａｓｔ））によって連接した後、表９のＨＡＲＱ−ＡＣＫ（０）、（１）、（２）、（３）に取り替えてマッピングする。
【０１７１】
◆（Ｍ１、Ｍ２）＝（１、３）の場合［Ａｌｔ １］
【０１７２】
○ ＣＣ１：ＡＣＫ−ｒｓｐ（１）は、ＣＣ１を介して伝送されたＤＬデータに対する（空間バンドリングされた）Ａ／Ｎ応答
【０１７３】
【表２１】
0006046778.tif 000025
【０１７４】
○ ＣＣ２：ＡＣＫ−ｒｓｐ（ｉ）は、ＤＡＩ＝ｉに対応するＤＬデータに対するＡ／Ｎ応答（ＤＬデータｗ／ｏ ＰＤＣＣＨが存在しない場合）、或いはＡＣＫ−ｒｓｐ（１）は、ＤＬデータｗ／ｏ ＰＤＣＣＨに対するＡ／Ｎ応答、ＡＣＫ−ｒｓｐ（ｉ+１）は、ＤＡＩ＝ｉに対応するＤＬデータに対するＡ／Ｎ応答（ＤＬデータｗ／ｏ ＰＤＣＣＨが存在する場合）
【０１７５】
【表２２】
0006046778.tif 000026
【０１７６】
○ ここで、ＡＣＫ−ｒｓｐ（１）、（２）、（３）＝（Ｎ、ａｎｙ、ａｎｙ）は、Ｒｅｆ−状態（Ｎ、Ｎ）或いはＲｅｆ−状態（Ｎ、Ｎ／Ｄ）に対応し、ＡＣＫ−ｒｓｐ（１）、（２）、（３）＝（Ｄ、ａｎｙ、ａｎｙ）は、Ｒｅｆ−状態（Ｄ、Ｄ）或いはＲｅｆ−状態（Ｄ、Ｎ／Ｄ）にそれぞれ対応すればよい。
【０１７７】
○ ＣＣ１＝ＰＣＣの場合
−  ＣＣ１の場合、表８でＨＡＲＱ−ＡＣＫ（０）をＡＣＫ−ｒｓｐ（１）に取り替えてマッピング
−  ＣＣ２の場合、表８のＨＡＲＱ−ＡＣＫ（１）、（２）において各Ｒｅｆ−状態と同じＡ／Ｎ組み合わせを、当該Ｒｅｆ−状態に対応するＡＣＫ−ｒｓｐ（１）、（２）、（３）に取り替えてマッピング
【０１７８】
○ ＣＣ２＝ＰＣＣの場合
−  ＣＣ１の場合、表８でＨＡＲＱ−ＡＣＫ（２）をＡＣＫ−ｒｓｐ（１）に取り替えてマッピング
−  ＣＣ２の場合、表８のＨＡＲＱ−ＡＣＫ（０）、（１）で各Ｒｅｆ−状態と同じＡ／Ｎ組み合わせを、当該Ｒｅｆ−状態に対応するＡＣＫ−ｒｓｐ（１）、（２）、（３）に取り替えてマッピング
【０１７９】
○ 一方、ＣＣ１がＮｔｂ＝２の場合、ＣＣ１に空間バンドリングを適用しなくてもよい。
−  この場合には、ＣＣ１を介して伝送されたＤＬデータの各ＴＢに対するＡ／Ｎ応答ＡＣＫ−ｒｓｐ（１）、（２）とＣＣ２のＡＣＫ−ｒｓｐ（１）、（２）、（３）にＣＣ別に基本マッピング規則及び連接規則（例、（ＰＣＣ  ｆｉｒｓｔ、ＳＣＣ  ｌａｓｔ））を適用して、表９のＨＡＲＱ−ＡＣＫ（０）、（１）、（２）、（３）に取り替えてマッピング
【０１８０】
◆（Ｍ１、Ｍ２）＝（１、３）の場合［Ａｌｔ ２］
【０１８１】
○ ＣＣ１：ＡＣＫ−ｒｓｐ（１）は、ＣＣ１を介して伝送されたＤＬデータに対する（空間バンドリングされた）Ａ／Ｎ応答
【０１８２】
【表２３】
0006046778.tif 000027
【０１８３】
○ ＣＣ２：ＡＣＫ−ｒｓｐ（ｉ）は、ＣＣ２のｉ番目のＤＬ ＳＦで伝送されたＤＬデータに対するＡ／Ｎ応答
【０１８４】
【表２４】
0006046778.tif 000028
【０１８５】
○ ＣＣ１＝ＰＣＣの場合
−  表９のＨＡＲＱ−ＡＣＫ（０）、（１）、（２）、（３）をそれぞれＣＣ１のＡＣＫ−ｒｓｐ（１）、ＣＣ２のＡＣＫ−ｒｓｐ（１）、ＡＣＫ−ｒｓｐ（２）、ＡＣＫ−ｒｓｐ（３）に取り替えてマッピング
【０１８６】
○ ＣＣ２＝ＰＣＣの場合
−  表９のＨＡＲＱ−ＡＣＫ（０）、（１）、（２）、（３）をそれぞれＣＣ２のＡＣＫ−ｒｓｐ（１）、ＡＣＫ−ｒｓｐ（２）、ＡＣＫ−ｒｓｐ（３）、ＣＣ１のＡＣＫ−ｒｓｐ（１）に取り替えてマッピング
【０１８７】
◆（Ｍ１、Ｍ２）＝（１、４）の場合
【０１８８】
○ ＣＣ１：ＡＣＫ−ｒｓｐ（１）は、ＣＣ１を介して伝送されたＤＬデータに対する（空間バンドリングされた）Ａ／Ｎ応答
【０１８９】
【表２５】
0006046778.tif 000029
【０１９０】
○ ＣＣ２：ＡＣＫ−ｒｓｐ（ｉ）は、ＤＡＩ＝ｉに対応するＤＬデータに対するＡ／Ｎ応答（ＤＬデータｗ／ｏ ＰＤＣＣＨが存在しない場合）、或いはＡＣＫ−ｒｓｐ（１）はＤＬデータｗ／ｏ ＰＤＣＣＨに対するＡ／Ｎ応答、ＡＣＫ−ｒｓｐ（ｉ+１）はＤＡＩ＝ｉに対応するＤＬデータに対するＡ／Ｎ応答（ＤＬデータｗ／ｏ ＰＤＣＣＨが存在する場合）
【０１９１】
【表２６】
0006046778.tif 000030
【０１９２】
○ ここで、ＡＣＫ−ｒｓｐ（１）、（２）、（３）、（４）＝（Ｎ、ａｎｙ、ａｎｙ、ａｎｙ）又は（Ａ、Ｎ／Ｄ、ａｎｙ、ａｎｙ）、ｅｘｃｅｐｔ fｏr（Ａ、Ｄ、Ｄ、Ｄ）は、Ｒｅｆ−状態（Ｎ、Ｎ）或いはＲｅｆ−状態（Ｎ、Ｎ／Ｄ）に対応し、ＡＣＫ−ｒｓｐ（１）、（２）、（３）、（４）＝（Ｄ、ａｎｙ、ａｎｙ、ａｎｙ）は、Ｒｅｆ−状態（Ｄ、Ｄ）或いはＲｅｆ−状態（Ｄ、Ｎ／Ｄ）に対応すればよい。
【０１９３】
○ ＣＣ１＝ＰＣＣの場合
−  ＣＣ１の場合、表９のＨＡＲＱ−ＡＣＫ（０）をＡＣＫ−ｒｓｐ（１）に取り替えてマッピング
−  ＣＣ２の場合、表９のＨＡＲＱ−ＡＣＫ（１）、（２）において各Ｒｅｆ−状態と同じＡ／Ｎ組み合わせを、当該Ｒｅｆ−状態に対応するＡＣＫ−ｒｓｐ（１）、（２）、（３）、（４）に取り替えてマッピング
【０１９４】
○ ＣＣ２＝ＰＣＣの場合
−  ＣＣ１の場合、表９のＨＡＲＱ−ＡＣＫ（２）をＡＣＫ−ｒｓｐ（１）に取り替えてマッピング
−  ＣＣ２の場合、表９のＨＡＲＱ−ＡＣＫ（０）、（１）において各Ｒｅｆ−状態と同じＡ／Ｎ組み合わせを、当該Ｒｅｆ−状態に対応するＡＣＫ−ｒｓｐ（１）、（２）、（３）、（４）に取り替えてマッピング
【０１９５】
○ また、ＣＣ１がＮｔｂ＝２の場合、ＣＣ１に空間バンドリングを適用しなくてもよい。
−この場合には、ＣＣ１を介して伝送されたＤＬデータの各ＴＢに対するＡ／Ｎ応答ＡＣＫ−ｒｓｐ（１）、（２）とＣＣ２のＡＣＫ−ｒｓｐ（１）、（２）、（３）、（４）に、ＣＣ別に基本マッピング規則及び連接規則（例、（ＰＣＣ  ｆｉｒｓｔ、ＳＣＣ  ｌａｓｔ））を適用して、表１０のＨＡＲＱ−ＡＣＫ（０）、（１）、（２）、（３）に取り替えてマッピング
【０１９６】
◆（Ｍ１、Ｍ２）＝（２、３）の場合
【０１９７】
○ ＣＣ１：ＡＣＫ−ｒｓｐ（ｉ）は、ＣＣ１のｉ番目のＤＬ ＳＦで伝送されたＤＬデータに対するＡ／Ｎ応答
【０１９８】
【表２７】
0006046778.tif 000031
【０１９９】
○ ＣＣ２：ＡＣＫ−ｒｓｐ（ｉ）は、ＤＡＩ＝ｉに対応するＤＬデータに対するＡ／Ｎ応答（ＤＬデータｗ／ｏ ＰＤＣＣＨが存在しない場合）、或いはＡＣＫ−ｒｓｐ（１）はＤＬデータｗ／ｏ ＰＤＣＣＨに対するＡ／Ｎ応答、ＡＣＫ−ｒｓｐ（ｉ+１）はＤＡＩ＝ｉに対応するＤＬデータに対するＡ／Ｎ応答（ＤＬデータｗ／ｏ ＰＤＣＣＨが存在する場合）
【０２００】
【表２８】
0006046778.tif 000032
【０２０１】
○ ここで、ＡＣＫ−ｒｓｐ（１）、（２）、（３）＝（Ｎ、ａｎｙ、ａｎｙ）は、Ｒｅｆ−状態（Ｎ、Ｎ）或いはＲｅｆ−状態（Ｎ、Ｎ／Ｄ）に対応し、ＡＣＫ−ｒｓｐ（１）、（２）、（３）＝（Ｄ、ａｎｙ、ａｎｙ）は、Ｒｅｆ−状態（Ｄ、Ｄ）或いはＲｅｆ−状態（Ｄ、Ｎ／Ｄ）に対応すればよい。
【０２０２】
○ ＣＣ１＝ＰＣＣの場合
−  ＣＣ１の場合、表９のＨＡＲＱ−ＡＣＫ（０）、（１）をそれぞれＡＣＫ−ｒｓｐ（１）、（２）に取り替えてマッピング
−  ＣＣ２の場合、表９のＨＡＲＱ−ＡＣＫ（２）、（３）において各Ｒｅｆ−状態と同じＡ／Ｎ組み合わせを当該Ｒｅｆ−状態に対応するＡＣＫ−ｒｓｐ（１）、（２）、（３）に取り替えてマッピング
【０２０３】
○ ＣＣ２＝ＰＣＣの場合
−  ＣＣ１の場合、表９のＨＡＲＱ−ＡＣＫ（２）、（３）をそれぞれＡＣＫ−ｒｓｐ（１）、（２）に取り替えてマッピング
−  ＣＣ２の場合、表９のＨＡＲＱ−ＡＣＫ（０）、（１）において各Ｒｅｆ−状態と同じＡ／Ｎ組み合わせを当該Ｒｅｆ−状態に対応するＡＣＫ−ｒｓｐ（１）、（２）、（３）に取り替えてマッピング
【０２０４】
◆（Ｍ１、Ｍ２）＝（２、４）の場合
【０２０５】
○ ＣＣ１：ＡＣＫ−ｒｓｐ（ｉ）は、ＣＣ１のｉ番目のＤＬ ＳＦで伝送されたＤＬデータに対するＡ／Ｎ応答
【０２０６】
【表２９】
0006046778.tif 000033
【０２０７】
○ ＣＣ２：ＡＣＫ−ｒｓｐ（ｉ）は、ＤＡＩ＝ｉに対応するＤＬデータに対するＡ／Ｎ応答（ＤＬデータｗ／ｏ ＰＤＣＣＨが存在しない場合）、或いはＡＣＫ−ｒｓｐ（１）はＤＬデータｗ／ｏ ＰＤＣＣＨに対するＡ／Ｎ応答、ＡＣＫ−ｒｓｐ（ｉ+１）は、ＤＡＩ＝ｉに対応するＤＬデータに対するＡ／Ｎ応答（ＤＬデータｗ／ｏ ＰＤＣＣＨが存在する場合）
【０２０８】
【表３０】
0006046778.tif 000034
【０２０９】
○ ここで、ＡＣＫ−ｒｓｐ（１）、（２）、（３）、（４）＝（Ｎ、ａｎｙ、ａｎｙ、ａｎｙ）又は（Ａ、Ｎ／Ｄ、ａｎｙ、ａｎｙ）、ｅｘｃｅｐｔ ｆｏｒ（Ａ、Ｄ、Ｄ、Ｄ）は、Ｒｅｆ−状態（Ｎ、Ｎ）或いはＲｅｆ−状態（Ｎ、Ｎ／Ｄ）に対応し、ＡＣＫ−ｒｓｐ（１）、（２）、（３）、（４）＝（Ｄ、ａｎｙ、ａｎｙ、ａｎｙ）はＲｅｆ−状態（Ｄ、Ｄ）或いはＲｅｆ−状態（Ｄ、Ｎ／Ｄ）に対応すればよい。
【０２１０】
○ ＣＣ１＝ＰＣＣの場合
−  ＣＣ１の場合、表９のＨＡＲＱ−ＡＣＫ（０）、（１）をそれぞれＡＣＫ−ｒｓｐ（１）、（２）に取り替えてマッピング
−  ＣＣ２の場合、表９のＨＡＲＱ−ＡＣＫ（２）、（３）において各Ｒｅｆ−状態と同じＡ／Ｎ組み合わせを当該Ｒｅｆ−状態に対応するＡＣＫ−ｒｓｐ（１）、（２）、（３）、（４）に取り替えてマッピング
【０２１１】
○ ＣＣ２＝ＰＣＣの場合
−  ＣＣ１の場合、表９のＨＡＲＱ−ＡＣＫ（２）、（３）をそれぞれＡＣＫ−ｒｓｐ（１）、（２）に取り替えてマッピング
−  ＣＣ２の場合、表９のＨＡＲＱ−ＡＣＫ（０）、（１）において各Ｒｅｆ−状態と同じＡ／Ｎ組み合わせを当該Ｒｅｆ−状態に対応するＡＣＫ−ｒｓｐ（１）、（２）、（３）、（４）に取り替えてマッピング
【０２１２】
◆（Ｍ１、Ｍ２）＝（３、４）の場合
【０２１３】
○ ＣＣ１：ＡＣＫ−ｒｓｐ（ｉ）は、ＤＡＩ＝ｉに対応するＤＬデータに対するＡ／Ｎ応答（ＤＬデータｗ／ｏ ＰＤＣＣＨが存在しない場合）、或いはＡＣＫ−ｒｓｐ（１）はＤＬデータｗ／ｏ ＰＤＣＣＨに対するＡ／Ｎ応答、ＡＣＫ−ｒｓｐ（ｉ+１）は、ＤＡＩ＝ｉに対応するＤＬデータに対するＡ／Ｎ応答（ＤＬデータｗ／ｏ ＰＤＣＣＨが存在する場合）
【０２１４】
【表３１】
0006046778.tif 000035
【０２１５】
○ ここで、ＡＣＫ−ｒｓｐ（１）、（２）、（３）＝（Ｎ、ａｎｙ、ａｎｙ）は、Ｒｅｆ−状態（Ｎ、Ｎ）或いはＲｅｆ−状態（Ｎ、Ｎ／Ｄ）に対応し、ＡＣＫ−ｒｓｐ（１）、（２）、（３）＝（Ｄ、ａｎｙ、ａｎｙ）はＲｅｆ−状態（Ｄ、Ｄ）或いはＲｅｆ−状態（Ｄ、Ｎ／Ｄ）にそれぞれ対応すればよい。
【０２１６】
○ ＣＣ２：ＡＣＫ−ｒｓｐ（ｉ）は、ＤＡＩ＝ｉに対応するＤＬデータに対するＡ／Ｎ応答（ＤＬデータｗ／ｏ ＰＤＣＣＨが存在しない場合）、或いはＡＣＫ−ｒｓｐ（１）はＤＬデータｗ／ｏ ＰＤＣＣＨに対するＡ／Ｎ応答、ＡＣＫ−ｒｓｐ（ｉ+１）は、ＤＡＩ＝ｉに対応するＤＬデータに対するＡ／Ｎ応答（ＤＬデータｗ／ｏ ＰＤＣＣＨが存在する場合）
【０２１７】
【表３２】
0006046778.tif 000036
【０２１８】
○ ここで、ＡＣＫ−ｒｓｐ（１）、（２）、（３）、（４）＝（Ｎ、ａｎｙ、ａｎｙ、ａｎｙ）又は（Ａ、Ｎ／Ｄ、ａｎｙ、ａｎｙ）、ｅｘｃｅｐｔ ｆｏｒ（Ａ、Ｄ、Ｄ、Ｄ）は、Ｒｅｆ−状態（Ｎ、Ｎ）或いはＲｅｆ−状態（Ｎ、Ｎ／Ｄ）に対応し、ＡＣＫ−ｒｓｐ（１）、（２）、（３）、（４）＝（Ｄ、ａｎｙ、ａｎｙ、ａｎｙ）はＲｅｆ−状態（Ｄ、Ｄ）或いはＲｅｆ−状態（Ｄ、Ｎ／Ｄ）にそれぞれ対応すればよい。
【０２１９】
○ ＣＣ１＝ＰＣＣの場合
−  ＣＣ１の場合、表９のＨＡＲＱ−ＡＣＫ（０）、（１）において各Ｒｅｆ−状態と同じＡ／Ｎ組み合わせを当該Ｒｅｆ−状態に対応するＡＣＫ−ｒｓｐ（１）、（２）、（３）に取り替えてマッピング
−  ＣＣ２の場合、表９のＨＡＲＱ−ＡＣＫ（２）、（３）において各Ｒｅｆ−状態と同じＡ／Ｎ組み合わせを当該Ｒｅｆ−状態に対応するＡＣＫ−ｒｓｐ（１）、（２）、（３）、（４）に取り替えてマッピング
【０２２０】
○ ＣＣ２＝ＰＣＣの場合
−  ＣＣ１の場合、表９のＨＡＲＱ−ＡＣＫ（２）、（３）において各Ｒｅｆ−状態と同じＡ／Ｎ組み合わせを当該Ｒｅｆ−状態に対応するＡＣＫ−ｒｓｐ（１）、（２）、（３）に取り替えてマッピング
−  ＣＣ２の場合、表９のＨＡＲＱ−ＡＣＫ（０）、（１）において各Ｒｅｆ−状態と同じＡ／Ｎ組み合わせを当該Ｒｅｆ−状態に対応するＡＣＫ−ｒｓｐ（１）、（２）、（３）、（４）に取り替えてマッピング
【０２２１】
第２方案
【０２２２】
他の方案として、ＣＣ１とＣＣ２に共通してＭ＝ｍａｘ（Ｍ１、Ｍ２）に基づいて基本マッピング規則及び連接規則（ＰＣＣ  ｆｉｒｓｔ、ＳＣＣ  ｌａｓｔ）を適用してＡ／Ｎ状態をマッピングし、それに対応する（ＰＵＣＣＨリソース、ＱＰＳＫシンボル）組み合わせを決定する方式を考慮してもよい。具体的に、ＣＣ別に共通Ｍ値に基づいて（基本マッピング規則をそのまま適用して）、該当のＣＣのＡ／Ｎ応答に対応するＨＡＲＱ−ＡＣＫ（ｉ）を生成及び連接して全体Ａ／Ｎ状態に対するＨＡＲＱ−ＡＣＫ（ｉ）を生成すればよい。好ましくは、該当のＣＣにおいて各ＡＣＫ−ｒｓｐ（ｉ）は、Ｍ値によって定義されたのと同一に与えられるとよい（表１４〜表１８参照）。したがって、Ｍ１＜Ｍ２の場合、ＣＣ１に対するＡ／Ｎ応答は、Ｍ２値を基準にしてＡＣＫ−ｒｓｐ（ｉ）（ｉ＝１〜Ｍ２）（これに対応するＨＡＲＱ−ＡＣＫ（ｉ））と与えられるが、ＡＣＫ−ｒｓｐ（ｉ）（ｉ＝Ｍ１＋１〜Ｍ２）（これに対応するＨＡＲＱ−ＡＣＫ（ｉ））に対応する実際のＤＬデータ伝送はないため、これらはいずれもＤＴＸと処理されるとよい。その後、全体Ａ／Ｎ状態に対応する（ＰＵＣＣＨリソース、ＱＰＳＫシンボル）組み合わせを用いてＡ／Ｎ伝送を行えばよい。言い換えれば、Ｍ＝ｍａｘ（Ｍ１、Ｍ２）値によって、表７〜表９、表１２及び表１３におけるＡ／Ｎ状態マッピング及びそれに結合されたＨＡＲＱ−ＡＣＫ（ｉ）の定義、ＰＵＣＣＨリソースの定義などをそのままＣＣ１とＣＣ２の両方に共通して適用すればよい。
【０２２３】
方案１によれば、より良いＡ／Ｎフィードバック伝送性能が得られるが、Ｍ１とＭ２とが異なっているいずれの場合に対しても新しくＡ／Ｎ状態マッピングを定義（それに結合されたＨＡＲＱ−ＡＣＫ（ｉ）の定義及びＰＵＣＣＨリソース割当方式などが様々となる）しなければならず、システム複雑度が増加することがあり、既存のＡ／Ｎ状態マッピング規則を再利用することもできない。本方案によれば、複数のＣＣに対して共通のＭ値を適用することによって、システム複雑度を下げ、且つそれぞれの（Ｍ１、Ｍ２）組み合わせに対して新しくＡ／Ｎ状態マッピング方式を構成することなく、既存に定義されたＡ／Ｎ状態マッピング方式を再利用することができる。
【０２２４】
図１４に、本方案によるＡ／Ｎ伝送例を示す。便宜上、同図は端末の立場で図示及び説明されるが、対応する動作が基地局で行われ得るということは明らかである。
【０２２５】
図１４を参照すると、端末は、互いに異なったＵＬ−ＤＬ構成（表１参照）を持つ複数のＣＣ（例、ＣＣ１、ＣＣ２）を束ねる（Ｓ１４０２）。これに制限されるものではないが、ＣＣ１はＰＣＣ、ＣＣ２はＳＣＣであってよい。その後、端末は、ＤＬデータ（例、ＰＤＳＣＨ、ＳＰＳ解除ＰＤＣＣＨ）を受信すると、ＤＬデータに対するＡ／Ｎフィードバックを伝送するための過程を行う。具体的に、端末は、ＣＣ１のために第１ＨＡＲＱ−ＡＣＫセットをＭ値基準に生成し（Ｓ１４０４）、ＣＣ２のための第２ＨＡＲＱ−ＡＣＫセットも同様、Ｍ値基準に生成すればよい（Ｓ１４０６）。ここで、Ｍ１は、Ａ／Ｎ伝送のためのＰＣＣ ＵＬ ＳＦ（例、ＵＬ ＳＦ ｎ）に対応するＣＣ１ ＤＬ ＳＦの個数（表５で、Ｋセット内の元素個数に相当）を表す。同様に、Ｍ２は、Ａ／Ｎ伝送のためのＰＣＣ ＵＬ ＳＦ（例、ＵＬ ＳＦ ｎ）に対応するＣＣ２ ＤＬ ＳＦの個数（表５で、Ｋセット内の元素個数に相当）を表す。また、Ｍ＝ｍａｘ（Ｍ１、Ｍ２）と与えられる。ｍａｘ（Ｍ１、Ｍ２）は、Ｍ１とＭ２のうち、小さくない値を表す。すなわち、ＣＣ別Ａ／Ｎ状態は、ＣＣ１／ＣＣ２の両方に適用される共通のＭ値に基づいて生成される。具体的に、ＣＣ別Ａ／Ｎ状態は、表１４〜表１８により与えられるとよい。一方、Ｍ１＜Ｍ２の場合、ＣＣ１に対する第１ＨＡＲＱ−ＡＣＫセットは、Ｍ２個のＨＡＲＱ−ＡＣＫ応答（すなわち、ＨＡＲＱ−ＡＣＫ（０）〜ＨＡＲＱ−ＡＣＫ（Ｍ２−１））で構成され、第１ＨＡＲＱ−ＡＣＫセットにおいて後ろのＭ２−Ｍ１個のＨＡＲＱ−ＡＣＫ応答（すなわち、ＨＡＲＱ−ＡＣＫ（Ｍ１）〜ＨＡＲＱ−ＡＣＫ（Ｍ２−１））は、ＤＴＸに設定されればよい。Ｍ１＞Ｍ２の場合にも同様の適用が可能である。その後、端末は、第１ＨＡＲＱ−ＡＣＫセット及び第２ＨＡＲＱ−ＡＣＫセットを含む第３ＨＡＲＱ−ＡＣＫセット（表７〜表９、表１２及び表１３参照）に対応する情報を基地局に伝送すればよい（Ｓ１４０８）。第３ＨＡＲＱ−ＡＣＫセットに対応する情報は、チャネル選択方式に基づいてＰＵＣＣＨ又はＰＵＳＣＨを介して伝送されるとよい。
【０２２６】
一方、（Ｍ１、Ｍ２）＝（２、３）にＭ＝ｍａｘ（Ｍ１、Ｍ２）ベースの方式を適用すれば、ＣＣ１に対して意味あるＡ／Ｎ状態（すなわち、ＡＣＫ−ｒｓｐ（１）、（２）、（３））は（Ａ、Ａ、Ｎ／Ｄ）及び（Ａ、Ｎ／Ｄ、ａｎｙ）となる。表１７を参照すると、Ｍ＝３の場合、ＣＣ別Ａ／Ｎ状態は｛（Ａ、Ａ、Ａ）、（Ａ、Ａ、Ｎ／Ｄ）、（Ａ、Ｎ／Ｄ、ａｎｙ）、（Ｎ／Ｄ、ａｎｙ、ａｎｙ）｝であるが、ＣＣ１で３番目のＡ／Ｎ応答はＤであるから、（Ａ、Ａ、Ａ）は可用でなく、（Ｎ／Ｄ、ａｎｙ、ａｎｙ）は２番目のＡ／Ｎ状態がわからないためである。言い換えれば、ＣＣ１上に存在し得るＤＡＩ＝１とＤＡＩ＝２（或いは、ＤＬデータｗ／ｏ ＰＤＣＣＨとＤＡＩ＝１）に対応するＤＬデータに対する全てのＡ／Ｎ状態｛（Ａ、Ａ）、（Ａ、Ｎ／Ｄ）、（Ｎ／Ｄ、Ａ）、（Ｎ／Ｄ、Ｎ／Ｄ）｝のうち、（Ａ、Ａ）と（Ａ、Ｎ／Ｄ）に関するる情報のみがＡ／Ｎの観点で有用である。また、（Ｍ１、Ｍ２）＝（２、４）にＭ＝ｍａｘ（Ｍ１、Ｍ２）ベースの方式を適用すれば、ＣＣ１に対して意味あるＡ／Ｎ状態（すなわち、ＡＣＫ−ｒｓｐ（１）、（２）、（３）、（４））としては、（Ａ、Ａ、Ｎ／Ｄ、ａｎｙ）と（Ａ、Ｄ、Ｄ、Ｄ）のみ存在する。表１８を参照すると、Ｍ＝４の場合、ＣＣ別Ａ／Ｎ状態は｛（Ａ、Ａ、Ａ、Ｎ／Ｄ）、（Ａ、Ａ、Ｎ／Ｄ、ａｎｙ）、［（Ａ、Ａ、Ａ、Ａ）又は（Ａ、Ｄ、Ｄ、Ｄ）］、［（Ｎ／Ｄ、ａｎｙ、ａｎｙ、ａｎｙ）又は（Ａ、Ｎ／Ｄ、ａｎｙ、ａｎｙ）、ｅｘｃｅｐｔ ｆｏｒ（Ａ、Ｄ、Ｄ、Ｄ）｝であるが、ＣＣ１で３番目のＡ／Ｎ及び４番目のＡ／Ｎ応答が両方ともＤであるから、（Ａ、Ａ、Ｎ／Ｄ、ａｎｙ）と（Ａ、Ｄ、Ｄ、Ｄ）以外のＡ／Ｎ状態は可用でないか又は不明であるためである。言い換えれば、ＣＣ１上に存在し得るＤＡＩ＝１とＤＡＩ＝２（或いは、ＤＬデータｗ／ｏ ＰＤＣＣＨとＤＡＩ＝１）に対応するＤＬデータに対する全てのＡ／Ｎ状態のうち、単に（Ａ、Ａ）と（Ａ、Ｄ）に関する情報のみがＡ／Ｎの観点で有用である。したがって、Ｍ＝４ベースのマッピング時に、Ａ／Ｎ状態重畳マッピングにより、ＣＣ１に関する一部のＡ／Ｎ情報（すなわち、（Ａ、Ｎ））が余計に損失されることがある。
【０２２７】
そこで、（Ｍ１、Ｍ２）＝（２、４）にＭ＝ｍａｘ（Ｍ１、Ｍ２）ベースの方式を適用する場合、Ｍ＝４ペースのマッピングからＡ／Ｎ状態重畳に起因する（ＣＣ１に対する）余計なＡ／Ｎ情報損失を減らすには、Ａ／Ｎマッピングを変形すればよい。具体的に、ＣＣ１上のＤＡＩ＝１とＤＡＩ＝２（或いは、ＤＬデータｗ／ｏ ＰＤＣＣＨとＤＡＩ＝１）に対応するＡ／Ｎ状態のうちの（Ａ、Ｎ／Ｄ）を、表１８でＡＣＫ−ｒｓｐ（１）、（２）、（３）、（４）＝「（Ａ、Ｄ、Ｄ、Ｄ）又は（Ａ、Ａ、Ａ、Ａ）」にマッピングし、表１３で対応する（ＰＵＣＣＨリソース、ＱＰＳＫシンボル）組み合わせを用いてＡ／Ｎ伝送を行うことを提案する（すなわち、表１３でＨＡＲＱ−ＡＣＫ（１）、（２）、（３）、（４）＝「（Ａ、Ｄ、Ｄ、Ｄ）又は（Ａ、Ａ、Ａ、Ａ）」と見なして動作）。これにより、ＣＣ１上のＤＡＩ＝１とＤＡＩ＝２（或いは、ＤＬデータｗ／ｏ ＰＤＣＣＨとＤＡＩ＝１）に対応するＡ／Ｎ状態のうち、（Ｎ／Ｄ、Ａ）と（Ｎ／Ｄ、Ｎ／Ｄ）のみが表１８でＡＣＫ−ｒｓｐ（１）、（２）、（３）、（４）＝「（Ｎ／Ｄ、ａｎｙ、ａｎｙ、ａｎｙ）又は（Ａ、Ｎ／Ｄ、ａｎｙ、ａｎｙ）、ｅｘｃｅｐｔ ｆｏｒ（Ａ、Ｄ、Ｄ、Ｄ）」にマッピングされるとよい（すなわち、表１３のＭ＝４ベースのマッピングにおいてＨＡＲＱ−ＡＣＫ（１）、（２）、（３）、（４）＝「（Ｎ／Ｄ、ａｎｙ、ａｎｙ、ａｎｙ）又は（Ａ、Ｎ／Ｄ、ａｎｙ、ａｎｙ）、ｅｘｃｅｐｔ ｆｏｒ（Ａ、Ｄ、Ｄ、Ｄ）」と見なされる）。
【０２２８】
上述したＡ／Ｎ状態マッピングは、（Ｍ１、Ｍ２）＝（２、４）であり、且つＡ／ＮがＰＵＳＣＨにピギーバックされるとすれば、当該ＰＵＳＣＨに対応するＵＬ ＤＡＩ値が４である場合、及び／又は当該ＰＵＳＣＨに対応するＵＬ ＤＡＩが存在しない場合（例、ＳＰＳ方式ベースのＰＵＳＣＨ）にも同一に適用されてよい。具体的に、提案されたＭ＝４ベースのＡ／Ｎ状態マッピング方式によってＡ／Ｎピギーバック情報に対応するＲＭコード入力ビット（Ｃｏｄｅ  Ｉｎｐｕｔ  Ｂｉｔｓ）を生成し（表１２及び表１３参照）、これをＰＵＳＣＨで伝送すればよい。ここで、ＵＬ ＤＡＩは、該当のＰＵＳＣＨをスケジューリングするＵＬグラントＰＤＣＣＨを介してシグナリングされる。
【０２２９】
一方、（Ｍ１、Ｍ２）＝（Ｌ、０）（Ｌは、０以外の正の整数）の場合にもＣＣ別にＭ＝Ｌ（＝ｍａｘ（Ｍ１、Ｍ２））値に基づいて、該当のＣＣのＡ／Ｎ応答に対応するＨＡＲＱ−ＡＣＫ（ｉ）を生成及び連接して、全体Ａ／Ｎ状態に対するＨＡＲＱ−ＡＣＫ（ｉ）を生成し、これに対応する（ＰＵＣＣＨリソース、ＱＰＳＫシンボル）組み合わせを決定する方式を考慮してもよい。各ＣＣのＡＣＫ−ｒｓｐ（ｉ）は該当のＭ（＝Ｌ）値に定義されたのと同一であり、Ｍ２＝０のＣＣ２に対するＡＣＫ−ｒｓｐ（ｉ）（これに対応するＨＡＲＱ−ＡＣＫ（ｉ））は定義されないので、いずれもＤＴＸと処理されればよい。
【０２３０】
一方、（Ｍ１、Ｍ２）＝（Ｌ、０）であり、ＣＣ別に生成されたＡ／Ｎ応答（これに対応するＨＡＲＱ−ＡＣＫ（ｉ））に対して前述の連接規則（ＰＣＣ  ｆｉｒｓｔ、ＳＣＣ  ｌａｓｔ）を変形無しでそのまま適用して全体Ａ／Ｎ状態（これに対応するＨＡＲＱ−ＡＣＫ（ｉ））を構成する場合に、特定状況においてスループット（ｔｈｒｏｕｇｈｐｕｔ）及びＡ／Ｎフィードバック性能劣化が発生することがある。簡単な例として、（ＣＣ１、ＣＣ２）＝（ＳＣＣ、ＰＣＣ）、（Ｍ１、Ｍ２）＝（Ｌ＝１、０）であり、Ｎｔｂ＝１の状況を仮定する。この場合、ＳＣＣに対するＡ／Ｎ応答がＡＣＫの場合はＡ／Ｎフィードバック伝送が可能である反面、（ＤＴＸでない）ＮＡＣＫの場合にＡ／Ｎフィードバック伝送が不可能になる問題が発生する。ＰＣＣに対するＡＣＫ−ｒｓｐ（ｉ）（これに対応するＨＡＲＱ−ＡＣＫ（ｉ））が常にいずれもＤＴＸであることから、全体Ａ／Ｎ状態が（ＰＣＣ、ＳＣＣ）＝（ＤＴＸ、ＮＡＣＫ）で構成されるが、表７に（ＤＴＸ、ＮＡＣＫ）に対応する（ＰＵＣＣＨリソース、ＱＰＳＫシンボル）組み合わせが存在しないからである（すなわち、Ｎｏ  Ｔｒａｎｓｍｉｓｓｉｏｎ）。
【０２３１】
したがって、（Ｍ１、Ｍ２）＝（Ｌ、０）の場合に、Ｍ＝Ｌ（＝ｍａｘ（Ｍ１、Ｍ２））値に基づいて（基本マッピング規則をそのまま適用して）ＣＣ別に生成されたＡ／Ｎ応答（これに対応するＨＡＲＱ−ＡＣＫ（ｉ））に対して変形された連接規則（ＣＣ１  ｆｉｒｓｔ、ＣＣ２  ｌａｓｔ）を適用して全体Ａ／Ｎ状態に対するＨＡＲＱ−ＡＣＫ（ｉ）を生成することをさらに提案する。ここで、ＣＣ１は、Ａ／Ｎ−ＤＬ ＳＦ個数（すなわち、Ｍｃ値）が０でないＣＣを表し、ＣＣ２は、Ａ／Ｎ−ＤＬ ＳＦ個数（すなわち、Ｍｃ値）が０であるＣＣを表す。この場合、表７〜表９、表１２及び表１３においてＰＣＣに対応するＡ／Ｎ状態及びこれにリンクされたＰＵＣＣＨリソースを、ＣＣ１に対応するＡ／Ｎ状態及びそれにリンクされたＰＵＣＣＨリソースに取り替えてマッピングすればよく、これに基づいて該当の全体Ａ／Ｎ状態に対応する（ＰＵＣＣＨリソース、ＱＰＳＫシンボル）組み合わせを決定することを提案する。このとき、表７〜表９、表１２及び表１３においてＳＣＣに対応するＡ／Ｎ状態、ＰＵＣＣＨリソースを、ＣＣ２に対応するＡ／Ｎ状態（すなわち、ＤＴＸ）、ＰＵＣＣＨリソース（これは、存在しない）に取り替えてマッピングするとよい。すなわち、全体Ａ／Ｎ状態内でＡ／Ｎ−ＤＬ ＳＦ個数（すなわち、Ｍｃ値）が０でないＣＣのＡ／Ｎ応答がまず配置され、それに基づいて、全体Ａ／Ｎ状態に対応する（ＰＵＣＣＨリソース、ＱＰＳＫシンボル）組み合わせが決定される。
【０２３２】
好ましくは、（Ｍ１、Ｍ２）＝（Ｌ、０）であり、Ｌ＝２、３、４の場合には、ＣＣ１に対してのみ表１６〜１８に基づいてＡＣＫ−ｒｓｐ（ｉ）−tｏ−Ｒｅｆ−状態マッピングを構成し、表７のＨＡＲＱ−ＡＣＫ（０）、（１）において各Ｒｅｆ−状態と同じＡ／Ｎ組み合わせを、当該Ｒｅｆ−状態に対応するＡＣＫ−ｒｓｐ（ｉ）に取り替えてマッピングすることを提案する。このとき、ｎ(1)PUCCH,0とｎ(1)PUCCH,1は、ＣＣ１にリンク／対応するＰＵＣＣＨリソースに割り当てられるとよい。ここで、ＣＣ１にリンク／対応するＰＵＣＣＨリソースは、例えばＬ＝２の場合に、ＣＣ１の１番目、２番目のＤＬ ＳＦで伝送されたＤＬデータにリンクされたＰＵＣＣＨリソースを含んだり、Ｌ＝３、４の場合に、ＤＡＩ＝１、２（又はＤＬデータｗ／ｏ ＰＤＣＣＨ、ＤＡＩ＝１）に対応するＤＬデータにリンクされたＰＵＣＣＨリソースを含む。
【０２３３】
また、（Ｍ１、Ｍ２）＝（Ｌ、０）の状況においてＬ＝１の場合には、（空間バンドリング適用無しで）ＣＣ２のＮｔｂ値を、当該ＣＣ２に設定された伝送モード、すなわち伝送可能な最大ＴＢ数によらずに常に１と見なすことを提案する。Ａ／Ｎ状態マッピングサイズが小さいほど（すなわち、表９に比べて表８の方が、そして表８に比べて表７の方が）、より良いＡ／Ｎフィードバック伝送性能が得られるからである。これにより、Ａ／Ｎフィードバック情報は、表１０においてＨＡＲＱ−ＡＣＫ（０）又はＨＡＲＱ−ＡＣＫ（０）、（１）が常にＣＣ１に対応するＡ／Ｎ状態にマッピングされることが可能である。
【０２３４】
他の方法として、（Ｍ１、Ｍ２）＝（Ｌ、０）の場合には、Ｌ値によってＣＣ１に対してのみ（空間バンドリング適用無しで）ＰＵＣＣＨフォーマット１ａ／１ｂ（Ｌ＝１）、或いは（空間バンドリングを適用して）表７（Ｌ＝２）、表８（Ｌ＝３）、表９（Ｌ＝４）を用いてＡ／Ｎ状態を構成し、それに対応する（ＰＵＣＣＨリソース、ＱＰＳＫシンボル）組み合わせを決定する方式を考慮してもよい。この場合、表７〜表９におけるＨＡＲＱ−ＡＣＫ（ｉ）及びｎ(1)PUCCH,iは、ＣＣ１上の（ｉ＋１）番目のＤＬ ＳＦで伝送されたＤＬデータに対するＡ／Ｎ応答及びこれにリンク／対応するＰＵＣＣＨリソースをそれぞれ意味する。好ましくは、Ｌ＝２の場合には空間バンドリングが適用しなくて済み、該当のＣＣ１について、Ｎｔｂ＝１の場合は２ビットＡ／Ｎ、Ｎｔｂ＝２の場合は４ビットＡ／Ｎに対してそれぞれ表７、表９を適用するとよい。このとき、ＨＡＲＱ−ＡＣＫ（０）、（１）、（２）、（３）はそれぞれＣＣ１上の１ｓｔ ＤＬ ＳＦで伝送された１ｓｔ ＴＢ、１ｓｔ ＤＬ ＳＦで伝送された２ｎｄ ＴＢ、２ｎｄ ＤＬ ＳＦで伝送された１ｓｔ ＴＢ、２ｎｄ ＤＬ ＳＦで伝送された２ｎｄ ＴＢに対するＡ／Ｎ応答を意味すればよい。
【０２３５】
一方、ＤｗＰＴＳ区間がＮ個（例、Ｎ＝３）以下の少ないＯＦＤＭシンボルで構成されるスペシャルＳＦ（Ｓｐｅｃｉａｌ  ＳＦ、Ｓ ＳＦ）（例、表２でＳ ＳＦ構成＃０に該当）が割り当てられることがある。この場合、当該Ｓ ＳＦがＰＣＣ（すなわち、ＰＣｅｌｌ）に設定されると、該Ｓ ＳＦでＳＰＳ解除を指示するＰＤＣＣＨ（これは、１ビットＡ／Ｎフィードバックのみを必要とする）が伝送されることが可能である。一方、当該Ｓ ＳＦがＳＣＣ（すなわち、ＳＣｅｌｌ）に設定されると、当該Ｓ ＳＦでは、Ａ／Ｎフィードバックを必要とするいかなるＰＤＣＣＨ／ＤＬデータも伝送されないこともある。したがって、提案方法の適用時に、例示のように小さいＤｗＰＴＳ区間を持つＳ ＳＦ（便宜上、最短（ｓｈｏｒｔｅｓｔ）Ｓ ＳＦという。）がＰＣｅｌｌに設定された場合、該ＰＣｅｌｌに設定されたＮｔｂ値によらず、最短Ｓ ＳＦに対応するＡ／Ｎは常に１ビットで割り当てられたり、最短Ｓ ＳＦはＭ値決定のためのＡ／Ｎ−ＤＬ ＳＦから除外されてもよい。この場合、端末は、Ｓ ＳＦではＳＰＳ解除を指示するＰＤＣＣＨが伝送されないと見なせばよい（これにより、ＰＣｅｌｌ Ｓ ＳＦでＰＤＣＣＨモニタリング過程（例、ブラインドデコーディング）を省略可能である）。一方、最短Ｓ ＳＦがＳＣｅｌｌに設定された場合に、該Ｓ ＳＦはＭ値決定のためのＡ／Ｎ−ＤＬ ＳＦから除外されるとよい。他の方法として、ＰＣｅｌｌの場合は、最短Ｓ ＳＦに対応するＡ／Ｎに対しても、該当のＰＣｅｌｌに設定されたＮｔｂ値によるＮｔｂビット（例、Ｍ＝１の場合）、或いは空間バンドリングが適用される場合に１−ビット（例、Ｍ＞１の場合）がそのまま割り当てられ、ＳＣｅｌｌの場合には、最短Ｓ ＳＦがＭ値決定のためのＡ／Ｎ−ＤＬ ＳＦから除外されてもよい。
【０２３６】
また、ＰＣｅｌｌに設定された最短Ｓ ＳＦをＡ／Ｎ−ＤＬ ＳＦから除外しないで、該Ｓ ＳＦに対応するＡ／Ｎを、当該ＰＣｅｌｌに設定されたＮｔｂ値によらずに常に１ビットで割り当てる方法が適用されると仮定してもよい。この場合、ＰＣｅｌｌがＮｔｂ＝２に設定されると、特定Ｍ値の場合について、下記のようなＡ／Ｎビット割当が可能である。便宜上、ＰＣｅｌｌ及びＳＣｅｌｌに対するＭ値をそれぞれＭｐ、Ｍｓと定義する。また、ＰＣｅｌｌ及びＳＣｅｌｌに対応するＡ／Ｎビット数をそれぞれ、Ｎｐ、Ｎｓと定義する。少なくともＭｐを構成するＡ／Ｎ−ＤＬ ＳＦには最短Ｓ ＳＦが含まれると仮定する。
【０２３７】
１）Ｍｐ＝１の場合
Ａ．Ｎp＝１
Ｂ．Ｍｐに対してのみＰＣｅｌｌのＮｔｂ＝１と見なした後、（Ｍ１、Ｍ２）＝（１、０）又は（１、１）又は（１、２）又は（１、３）又は（１、４）のための提案方法を適用
【０２３８】
２）Ｍｐ＝２、Ｍｓ＝０の場合（オプション１）
Ａ．Ｎｐ＝２（空間バンドリング適用）、Ｎｓ＝０
Ｂ．（Ｍ１、Ｍ２）＝（２、０）のための提案方法を適用
【０２３９】
３）Ｍｐ＝２、Ｍｓ＝０の場合（オプション２）
Ａ．Ｎｐ＝３（最短Ｓ ＳＦのために１ビット、ノーマルＤＬ ＳＦのために２ビット）、Ｎｓ＝０
Ｂ．空間バンドリング適用無しに、表８を用いて３ビットＡ／Ｎに対するチャネル選択を適用
【０２４０】
４）Ｍｐ＝２、Ｍｓ＝１であり、ＳＣｅｌｌについてＮｔｂ＝１に設定された場合（オプション１）
Ａ．Ｎｐ＝２（空間バンドリング適用）、Ｎｓ＝１
Ｂ．（Ｍ１、Ｍ２）＝（１、２）のための提案方法を適用
【０２４１】
５）Ｍｐ＝２、Ｍｓ＝１であり、ＳＣｅｌｌがＮｔｂ＝１に設定された場合（オプション２）
Ａ．Ｎｐ＝３（最短Ｓ ＳＦのために１ビット、ノーマルＤＬ ＳＦのために２ビット）、Ｎｓ＝１
Ｂ．空間バンドリング適用無しに、表９を用いて４ビットＡ／Ｎに対するチャネル選択を適用
【０２４２】
６）Ｍｐ＝２、Ｍｓ＝１であり、ＳＣｅｌｌがＮｔｂ＝２に設定された場合（オプション１）
Ａ．Ｎｐ＝２（空間バンドリング適用）、Ｎｓ＝１（空間バンドリング適用）
Ｂ．（Ｍ１、Ｍ２）＝（１、２）のための提案方法を適用
【０２４３】
７）Ｍｐ＝２、Ｍｓ＝１であり、ＳＣｅｌｌがＮｔｂ＝２に設定された場合（オプション２）
Ａ．Ｎｐ＝２（空間バンドリング適用）、Ｎｓ＝２
Ｂ．（Ｍ１、Ｍ２）＝（１、２）のための提案方法を適用
【０２４４】
一方、ＰＣｅｌｌとＳＣｅｌｌが同じＴＤＤ ＤＬ−ＵＬＣｆｇを持つ場合にも、最短Ｓ ＳＦが設定されると、上記のような方式（すなわち、Ｓ ＳＦに対応するＡ／Ｎを常に１ビットで割り当てたり、或いはＳ ＳＦを（Ｍ値決定時）Ａ／Ｎ−ＤＬ ＳＦから除外）に基づいて提案方法を適用してもよい。
【０２４５】
図１５は、本発明の実施例に適用し得る基地局及び端末を例示する図である。リレーを含むシステムでは、基地局又は端末がリレーに取り替えられてもよい。
【０２４６】
図１５を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ：ＲＦ）ユニット１１６を含む。プロセッサ１１２は、本発明で提案した手順及び／又は方法を実現するように構成されるとよい。メモリー１１４は、プロセッサ１１２に接続し、プロセッサ１１２の動作と関連した種々の情報を記憶する。ＲＦユニット１１６は、プロセッサ１１２に接続し、無線信号を送信及び／又は受信する。端末１２０は、プロセッサ１２２、メモリー１２４及びＲＦユニット１２６を含む。プロセッサ１２２は、本発明で提案した手順及び／又は方法を実現するように構成されるとよい。メモリー１２４は、プロセッサ１２２に接続し、プロセッサ１２２の動作と関連した種々の情報を記憶する。ＲＦユニット１２６は、プロセッサ１２２に接続し、無線信号を送信及び／又は受信する。基地局１１０及び／又は端末１２０は、単一アンテナ又は多重アンテナを有する。
【０２４７】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施されてもよく、一部の構成要素及び／又は特徴を結合して本発明の実施例を構成してもよい。本発明の実施例で説明される動作の順序は変更されてもよい。ある実施例の一部構成や特徴は、別の実施例に含まれてもよく、別の実施例の対応する構成又は特徴に取って代わってもよい。特許請求の範囲において明示的な引用関係にない請求項を結合して実施例を構成したり、出願後の補正により新しい請求項として含めたりしてもよいことは明らかである。
【０２４８】
本文書で、本発明の実施例は主に、端末と基地局間のデータ送受信関係を中心に説明されている。本文書で基地局により行われるとした特定動作は、場合によっては、その上位ノード（ｕｐｐｅｒ  ｎｏｄｅ）により行われてもよい。すなわち、基地局を含む複数のネットワークノード（ｎｅｔｗｏｒｋ  ｎｏｄｅｓ）からなるネットワークにおいて端末との通信のために行われる種々の動作は、基地局又は基地局以外の別のネットワークノードにより実行されることは明らかである。基地局は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ａｃｃｅｓｓ  ｐｏｉｎｔ）などの用語に代えてもよい。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代えてもよい。
【０２４９】
本発明に係る実施例は、様々な手段、例えば、ハードウェア、ファームウェア（ｆｉｒｍｗａｒｅ）、ソフトウェア又はそれらの結合などにより実現するとよい。ハードウェアによる実現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現されるとよい。
【０２５０】
ファームウェアやソフトウェアによる実現の場合、本発明の一実施例は、以上で説明された機能又は動作を行うモジュール、手順、関数などの形態とすればよい。ソフトウェアコードは、メモリユニットに記憶されて、プロセッサにより駆動されるとよい。メモリユニットは、プロセッサの内部又は外部に設けられて、既に公知の様々な手段によりプロセッサとデータを交換するとよい。
【０２５１】
本発明は、本発明の特徴から逸脱しない範囲で別の特定の形態に具体化し得るということは、当業者にとっては自明である。したがって、上記の詳細な説明は、いずれの面においても制限的に解釈されてはならず、例示的なものとして考慮されなければならない。本発明の範囲は、添付の請求項の合理的な解釈により決定すべきであり、本発明の等価的範囲内における変更はいずれも本発明の範囲に含まれる。
【産業上の利用可能性】
【０２５２】
本発明は、端末、リレー、基地局のような無線通信装置に利用可能である。
【図１】
0006046778.tif 000037
【図２】
0006046778.tif 000038
【図３】
0006046778.tif 000039
【図４】
0006046778.tif 000040
【図５】
0006046778.tif 000041
【図６】
0006046778.tif 000042
【図７】
0006046778.tif 000043
【図８】
0006046778.tif 000044
【図９】
0006046778.tif 000045
【図１０】
0006046778.tif 000046
【図１１】
0006046778.tif 000047
【図１２】
0006046778.tif 000048
【図１３】
0006046778.tif 000049
【図１４】
0006046778.tif 000050
【図１５】
0006046778.tif 000051